(57)【要約】  メディアアイテム及び部分メディアアイテムに関連付けられた様々なタイプのメタデータ及びデータコンテナである。一態様では、データコンテナは、メディアアイテムに関連付けられ、権利維持メタデータサブセットは、部分メディアアイテムに関連付けられ、メタデータセットは、複合メディアアイテムに関連付けられる。別の態様では、データコンテナは、商取引実現情報を含むことができる。【選択図】図８ａ
2009512064.tif 000002
【特許請求の範囲】
【請求項１】
メディアアイテムとの関連付けのためのデータコンテナであって、
ソースメディアアイテムから導出されたメディアアイテムの一部分に関連付けられ、前記ソースメディアアイテムに関連付けられたソースメタデータから導出される少なくとも１つのメタデータサブセットと、
コンテナ関係メタデータと、
前記ソースメディアアイテムである場合とそうでない場合があるメディアアイテムに関連付けられた少なくとも１つのメディアアイテム識別子と、
を備えたデータコンテナ。
【請求項２】
メディアアイテムの一部分に関連付けられた前記メタデータサブセットが商取引実現情報セットを含む、
ことを特徴とする請求項１に記載のデータコンテナ。
【請求項３】
前記商取引実現情報セットが使用権を含む、
ことを特徴とする請求項２に記載のデータコンテナ。
【請求項４】
前記使用権が、派生著作物において前記部分メディアアイテムを使用する権利を含む、
ことを特徴とする請求項３に記載のデータコンテナ。
【請求項５】
前記商取引実現情報セットが商用指定を含む、
ことを特徴とする請求項２に記載のデータコンテナ。
【請求項６】
前記商取引実現情報セットが非商用指定を含む、
ことを特徴とする請求項２に記載のデータコンテナ。
【請求項７】
前記商取引実現情報セットが発行者の属性を含む、
ことを特徴とする請求項２に記載のデータコンテナ。
【請求項８】
前記商取引実現情報セットが前記部分メディアアイテムの複製単価を含む、
ことを特徴とする請求項２に記載のデータコンテナ。
【請求項９】
前記商取引実現情報セットが権利保有者の識別情報を含む、
ことを特徴とする請求項２に記載のデータコンテナ。
【請求項１０】
前記商取引実現情報セットがライセンス条件セットを含む、
ことを特徴とする請求項２に記載のデータコンテナ。
【請求項１１】
前記商取引実現情報セットが著作権メッセージを含む、
ことを特徴とする請求項２に記載のデータコンテナ。
【請求項１２】
前記商取引実現情報セットがデジタル権利メッセージを含む、
ことを特徴とする請求項２に記載のデータコンテナ。
【請求項１３】
前記商取引実現情報セットが著作権メッセージへのポインタを含む、
ことを特徴とする請求項２に記載のデータコンテナ。
【請求項１４】
前記商取引実現情報セットがライセンス情報へのポインタを含む、
ことを特徴とする請求項２に記載のデータコンテナ。
【請求項１５】
前記部分メディアアイテムが、前記ソースメディアアイテムのアカペラトラックを含む、
ことを特徴とする請求項１に記載のデータコンテナ。
【請求項１６】
前記部分メディアアイテムが、前記ソースメディアアイテムのバックトラックを含む、
ことを特徴とする請求項１に記載のデータコンテナ。
【請求項１７】
前記部分メディアアイテムが、前記ソースメディアアイテムのサンプルを含む、
ことを特徴とする請求項１に記載のデータコンテナ。
【請求項１８】
前記部分メディアアイテムが、前記ソースメディアアイテムのグラフィック画像を含む、
ことを特徴とする請求項１に記載のデータコンテナ。
【請求項１９】
前記部分メディアアイテムが、前記ソースメディアアイテムのイコライザ事前設定を含む、
ことを特徴とする請求項１に記載のデータコンテナ。
【請求項２０】
前記部分メディアアイテムが、前記ソースメディアアイテムの伴奏を含む、
ことを特徴とする請求項１に記載のデータコンテナ。
【請求項２１】
前記部分メディアアイテムが、前記ソースメディアアイテムの一部分を含む、
ことを特徴とする請求項１に記載のデータコンテナ。
【請求項２２】
前記部分メディアアイテム及び前記メディアアイテムのうちの一方又は両方がオーディオファイルである、
ことを特徴とする請求項１に記載のデータコンテナ。
【請求項２３】
前記部分メディアアイテム及び前記メディアアイテムのうちの一方又は両方がビデオファイルである、
ことを特徴とする請求項１に記載のデータコンテナ。
【請求項２４】
前記部分メディアアイテム及び前記メディアアイテムのうちの一方又は両方がポッドキャストである、
ことを特徴とする請求項１に記載のデータコンテナ。
【請求項２５】
前記部分メディアアイテム及び前記メディアアイテムのうちの一方又は両方がｍｐ３フォーマットである、
ことを特徴とする請求項２２に記載のデータコンテナ。
【請求項２６】
前記部分メディアアイテム及び前記メディアアイテムのうちの一方又は両方がａａｃレコードオーディオトラックである、
ことを特徴とする請求項１に記載のデータコンテナ。
【請求項２７】
前記部分メディアアイテム及び前記メディアアイテムのうちの一方又は両方がグラフィック画像である、
ことを特徴とする請求項１に記載のデータコンテナ。
【請求項２８】
前記メディアアイテム識別子がポインタである、
ことを特徴とする請求項１に記載のデータコンテナ。
【請求項２９】
前記メディアアイテム識別子がユニフォームリソースロケータである、
ことを特徴とする請求項１に記載のデータコンテナ。
【請求項３０】
前記メディアアイテム識別子がオンライン音楽サービスに固有のｉｄである、
ことを特徴とする請求項１に記載のデータコンテナ。
【請求項３１】
前記メディアアイテム識別子がオンラインコミュニティに固有のｉｄである、
ことを特徴とする請求項１に記載のデータコンテナ。
【請求項３２】
前記部分メディアアイテム及び前記メディアアイテムのうちの一方又は両方がサーバから取得される、
ことを特徴とする請求項１に記載のデータコンテナ。
【請求項３３】
前記部分メディアアイテム及び前記メディアアイテムのうちの一方又は両方が、ユーザのコンピューティングデバイスからアクセスされた前記ユーザのローカルメディアライブラリから取得される、
ことを特徴とする請求項１に記載のデータコンテナ。
【請求項３４】
前記部分メディアアイテム及び前記メディアアイテムのうちの一方又は両方がインターネットから取得される、
ことを特徴とする請求項１に記載のデータコンテナ。
【請求項３５】
前記コンテナ関係メタデータが、前記コンテナの名前を表すテキストストリングを含む、
ことを特徴とする請求項１に記載のデータコンテナ。
【請求項３６】
前記コンテナ関係メタデータが、前記部分メディアアイテムのタイトルを含む、
ことを特徴とする請求項１に記載のデータコンテナ。
【請求項３７】
前記コンテナ関係メタデータが、前記ソースメディアアイテムのタイトルを含む、
ことを特徴とする請求項１に記載のデータコンテナ。
【請求項３８】
前記コンテナ関係メタデータが、前記コンテナが作成された日付を含む、
ことを特徴とする請求項１に記載のデータコンテナ。
【請求項３９】
前記コンテナ関係メタデータが、前記コンテナが修正された日付を含む、
ことを特徴とする請求項１に記載のデータコンテナ。
【請求項４０】
前記コンテナ関係メタデータが、前記コンテナに関連付けられたジャンルを含む、
ことを特徴とする請求項１に記載のデータコンテナ。
【請求項４１】
前記コンテナ関係メタデータが、前記コンテナのサイズを含む、
ことを特徴とする請求項１に記載のデータコンテナ。
【請求項４２】
前記コンテナ関係メタデータが、前記コンテナの長さを含む、
ことを特徴とする請求項１に記載のデータコンテナ。
【請求項４３】
前記コンテナ関係メタデータが、前記コンテナに関連付けられたコンテンツのタイプを含む、
ことを特徴とする請求項１に記載のデータコンテナ。
【請求項４４】
前記コンテナ関係メタデータが、前記コンテナに関連付けられたファイルタイプを含む、
ことを特徴とする請求項１に記載のデータコンテナ。
【請求項４５】
前記コンテナ関係メタデータが、前記コンテナに関連付けられた国際標準レコーディングコードを含む、
ことを特徴とする請求項１に記載のデータコンテナ。
【請求項４６】
前記コンテナ関係メタデータが、前記コンテナを符号化するためのソフトウェア要件を含む、
ことを特徴とする請求項１に記載のデータコンテナ。
【請求項４７】
前記コンテナ関係メタデータが、前記コンテナを復号するためのソフトウェア要件を含む、
ことを特徴とする請求項１に記載のデータコンテナ。
【請求項４８】
前記コンテナ関係メタデータが、ユーザ定義テキスト情報を含む、
ことを特徴とする請求項１に記載のデータコンテナ。
【請求項４９】
前記メタデータサブセットが演奏者の名前を含む、
ことを特徴とする請求項１に記載のデータコンテナ。
【請求項５０】
前記メタデータサブセットがアルバムの名前を含む、
ことを特徴とする請求項１に記載のデータコンテナ。
【請求項５１】
前記メタデータサブセットが作曲家の識別情報を含む、
ことを特徴とする請求項１に記載のデータコンテナ。
【請求項５２】
前記メタデータサブセットが作詞家の識別情報含む、
ことを特徴とする請求項１に記載のデータコンテナ。
【請求項５３】
前記メタデータサブセットが、前記部分メディアアイテムがレコーディングされた日付を含む、
ことを特徴とする請求項１に記載のデータコンテナ。
【請求項５４】
前記メタデータサブセットが、前記部分メディアアイテムに関連付けられた言語のタイプを含む、
ことを特徴とする請求項１に記載のデータコンテナ。
【請求項５５】
前記メタデータサブセットが、前記部分メディアアイテムの元の名前を含む、
ことを特徴とする請求項１に記載のデータコンテナ。
【請求項５６】
前記メタデータサブセットが、前記部分メディアアイテムが公開された年を含む、
ことを特徴とする請求項１に記載のデータコンテナ。
【請求項５７】
前記メタデータサブセットが、主演奏者の識別情報を含む、
ことを特徴とする請求項１に記載のデータコンテナ。
【請求項５８】
前記メタデータサブセットが、前記部分メディアアイテムに関連付けられたアーティストのウェブページへのリンクを含む、
ことを特徴とする請求項１に記載のデータコンテナ。
【請求項５９】
前記メタデータサブセットが、オンデマンド音楽サービスのウェブページへのリンクを含む、
ことを特徴とする請求項１に記載のデータコンテナ。
【請求項６０】
部分メディアアイテムに関連付けられた商取引実現情報メタデータサブセットであって、
前記部分メディアアイテムに関連付けられたデジタル定義の商取引実現情報セットを備え、
前記部分メディアアイテムがソースメディアアイテムから導出され、前記メタデータサブセットが、前記ソースメディアアイテムに関連付けられた商取引実現情報関係メタデータから導出され、前記ソースメディアアイテムと前記部分メディアアイテムとが別個に存在するときには、前記メタデータサブセットが前記部分メディアアイテムに関連付けられて保持され、前記デジタル定義の商取引実現情報と前記部分メタデータとの間の関係を維持するようにする、
ことを特徴とする商取引実現情報メタデータサブセット。
【請求項６１】
複合メディアアイテムとの関連付けのためのメタデータセットであって、
第１のソースメディアアイテムから導出された第１の部分メディアアイテムに関連付けられたデータを表し、且つ前記第１のソースメディアアイテムに関連付けられた第１のメタデータから導出される第１のメタデータサブセットと、
第２のソースメディアアイテムから導出された第２の部分メディアアイテムに関連付けられたデータを表し、且つ前記第２のソースメディアアイテムに関連付けられた第２のメタデータから導出される第２のメタデータサブセットと、
を備え、
前記第１の部分と前記第２の部分とが組み合わせられて複合メディアアイテムを形成し、前記第１のサブセット及び前記第２のサブセットが、前記複合メディアアイテムとの関連付けのための新しいメタデータセットを形成し、前記新しいメタデータセットが、前記第１のメタデータサブセット及び前記第２のメタデータサブセットに基づいている、
ことを特徴とするメタデータセット。
【請求項６２】
前記第１のメタデータサブセット及び前記第２のメタデータサブセットに関連付けられた前記データが商取引実現情報を含む、
ことを特徴とする請求項６１に記載のメタデータ。
【請求項６３】
前記商取引実現情報が、前記第１のメタデータサブセットに関連付けられた第１の権利セットと、前記第２のメタデータサブセットに関連付けられた第２の権利セットとを含む、
ことを特徴とする請求項６２に記載のメタデータ。
【請求項６４】
前記第１の部分メディアアイテム及び前記第２の部分メディアアイテムは、前記第１の権利セットと前記第２の権利セットとが競合する場合には組み合わせられない、
ことを特徴とする請求項６３に記載のメタデータ。
【請求項６５】
前記第１の部分メディアアイテム及び前記第２の部分メディアアイテムは、前記第１の権利セットと前記第２の権利セットとが競合する場合にはファイナライズされない、
ことを特徴とする請求項６３に記載のメタデータ。
【請求項６６】
前記第１の部分メディアアイテム及び前記第２の部分メディアアイテムは、前記第１の権利セット及び前記第２の権利セットのうちの一方又は両方が望ましい権利セットと一致しない場合には組み合わせられない、
ことを特徴とする請求項６３に記載のメタデータ。
【請求項６７】
第１の部分メディアアイテム及び前記第２の部分メディアアイテムは、前記第１の権利セットと前記第２の権利セットとが類似している場合に組み合わせられる、
ことを特徴とする請求項６３に記載のメタデータ。
【請求項６８】
前記第１及び第２の権利セットのうちの一方又は両方が商用指定又は非商用指定に基づいている、
ことを特徴とする請求項６３に記載のメタデータ。
【請求項６９】
前記第１の権利セット及び前記第２の権利セットの両方が商用と指定される場合には、前記複合メディアアイテムに関連付けられた価格が算出される、
ことを特徴とする請求項６８に記載のメタデータ。
【請求項７０】
前記第１及び第２の権利セットのうちの一方又は両方が属性の識別情報に基づいている、
ことを特徴とする請求項６３に記載のメタデータ。
【請求項７１】
前記第１及び第２の権利セットのうちの一方又は両方が前記第１及び第２の部分メディアアイテムの各々の複製単価に基づいている、
ことを特徴とする請求項６３に記載のメタデータ。
【請求項７２】
前記第１及び第２の権利セットのうちの一方又は両方が権利保有者の識別情報に基づいている、
ことを特徴とする請求項６３に記載のメタデータ。
【請求項７３】
前記第１及び第２の権利セットのうちの一方又は両方がライセンス条件に基づいている、
ことを特徴とする請求項６３に記載のメタデータ。
【請求項７４】
前記第１の権利セット及び前記第２の権利セットが競合する場合には、ユーザは通知を受ける、
ことを特徴とする請求項６３に記載のメタデータ。
【請求項７５】
前記論理組み合わせは、論理演算子セットによって決定される、
ことを特徴とする請求項６２に記載のメタデータ。
【請求項７６】
前記論理組み合わせは、権利の論理組み合わせによって決定される、
ことを特徴とする請求項６２に記載のメタデータ。
【請求項７７】
前記論理組み合わせは、条件付き論理によって決定される、
ことを特徴とする請求項６２に記載のメタデータ。
【請求項７８】
前記第１のメディアアイテムソース及び前記第２のメディアアイテムソースのうちの一方又は両方がメディアファイルである、
ことを特徴とする請求項６２に記載のメタデータ。
【請求項７９】
前記第１のメディアアイテムソース及び前記第２のメディアアイテムソースのうちの一方又は両方がビデオファイルである、
ことを特徴とする請求項６２に記載のメタデータ。
【請求項８０】
前記複合メディアアイテムに関連付けられた前記メタデータセットが、前記複合メディアアイテムに関連付けられた権利保有者を識別する、
ことを特徴とする請求項６２に記載のメタデータ。
【請求項８１】
前記複合メディアアイテムに関連付けられた前記メタデータセットが、前記複合メディアアイテムに関連付けられた複製単価を識別する、
ことを特徴とする請求項６２に記載のメタデータ。
【請求項８２】
前記複合メディアアイテムに関連付けられた前記メタデータセットが、前記複合メディアアイテムに関連付けられた属性を識別する、
ことを特徴とする請求項６２に記載のメタデータ。
【請求項８３】
前記複合メディアアイテムに関連付けられた前記メタデータセットが、前記複合メディアアイテムに関連付けられた著作権料額を識別する、
ことを特徴とする請求項６２に記載のメタデータ。
【請求項８４】
前記複合メディアアイテムに関連付けられた前記メタデータセットが、前記複合メディアアイテムに関連付けられたライセンス条件を識別する、
ことを特徴とする請求項６２に記載のメタデータ。
【請求項８５】
前記第１の部分メディアアイテム及び前記第２の部分メディアアイテムのうちの一方又は両方がアカペラトラックである、
ことを特徴とする請求項６２に記載のメタデータ。
【請求項８６】
前記第１の部分メディアアイテム及び前記第２の部分メディアアイテムのうちの一方又は両方がバックトラックである、
ことを特徴とする請求項６２に記載のメタデータ。
【請求項８７】
前記第１の部分メディアアイテム及び前記第２の部分メディアアイテムのうちの一方又は両方がメディアアイテムのサンプルである、
ことを特徴とする請求項６２に記載のメタデータ。
【請求項８８】
前記複合メディアアイテムに関連付けられた前記メタデータが、前記複合メディアアイテムに付加される、
ことを特徴とする請求項６２に記載のメタデータ。
【請求項８９】
前記複合メディアアイテムに関連付けられた前記メタデータ及び前記複合メディアアイテムが、デジタルコンテナオブジェクトにされる、
ことを特徴とする請求項６２に記載のメタデータ。
【請求項９０】
複合メディアアイテムに関連付けられたメタデータセットであって、
名前又は説明的用語と、
商取引実現情報へのポインタと、
前記関連付けられたメディアアイテムの場所へのポインタと、
を含むメタデータセット。
【請求項９１】
前記複合メディアアイテムに関連付けられた情報タグの少なくとも１つのセットを更に含む、
ことを特徴とする請求項９０に記載のメタデータセット。
【請求項９２】
前記複合メディアアイテムに関連付けられたフォーマットタイプを更に含む、
ことを特徴とする請求項９１に記載のメタデータセット。
【請求項９３】
コミュニティ又はオンライン音楽サービスに固有のＩＤを更に含む、
ことを特徴とする請求項９２に記載のメタデータセット。
【請求項９４】
前記名前又は説明的用語が前記メタデータセットに関連付けられる、
ことを特徴とする請求項９０に記載のメタデータセット。
【請求項９５】
前記名前又は説明的用語が前記複合メディアアイテムに関連付けられる、
ことを特徴とする請求項９０に記載のメタデータセット。
【請求項９６】
メディアアイテムに関連付けられたデータコンテナであって、
名前又は説明的用語と、
商取引実現情報へのポインタと、
前記関連付けられたメディアアイテムの場所へのポインタと、
を含むデータコンテナ。
【請求項９７】
前記メディアアイテムに関連付けられた情報タグの少なくとも１つのセットを更に含む、
ことを特徴とする請求項９６に記載のデータコンテナ。
【請求項９８】
前記複合メディアアイテムに関連付けられたフォーマットタイプを更に含む、
ことを特徴とする請求項９７に記載のデータコンテナ。
【請求項９９】
コミュニティ又はオンライン音楽サービスに固有のＩＤを更に含む、
ことを特徴とする請求項９８に記載のデータコンテナ。
【請求項１００】
前記名前又は説明的用語が前記データコンテナに関連付けられる、
ことを特徴とする請求項９６に記載のデータコンテナ。
【請求項１０１】
前記名前又は説明的用語が前記メディアアイテムに関連付けられる、
ことを特徴とする請求項９６に記載のデータコンテナ。
【請求項１０２】
部分メディアアイテムに関連付けられたメタデータサブセットであって、
名前又は説明的用語と、
商取引実現情報へのポインタと、
前記関連付けられたメディアアイテムの場所へのポインタと、
を含むメタデータサブセット。
【請求項１０３】
前記部分メディアアイテムに関連付けられた情報タグの少なくとも１つのセットを更に含む、
ことを特徴とする請求項１０２に記載のメタデータサブセット。
【請求項１０４】
前記部分メディアアイテムに関連付けられたフォーマットタイプを更に含む、
ことを特徴とする請求項１０３に記載のメタデータサブセット。
【請求項１０５】
オンライン音楽サービスに固有のＩＤを更に含む、
ことを特徴とする請求項１０４に記載のメタデータサブセット。
【請求項１０６】
前記名前又は説明的用語が前記メタデータサブセットに関連付けられる、
ことを特徴とする請求項１０２に記載のデータコンテナ。
【請求項１０７】
前記名前又は説明的用語が前記部分メディアアイテムに関連付けられる、
ことを特徴とする請求項１０７に記載のデータコンテナ。
【発明の詳細な説明】
【技術分野】
【０００１】
本開示は一般に、メディアアイテム及び部分メディアアイテムに関連付けられた様々なタイプのメタデータ及びデータコンテナに関する。一態様では、本開示は、メディアアイテムに関連付けられたデータコンテナ、部分メディアアイテムに関連付けられた権利維持メタデータサブセット、及び複合メディアアイテムに関連付けられたメタデータセットに関する。
【背景技術】
【０００２】
メディアをミックス及びリミックスすることは、もはやメディアの専門家だけに限定されるものではない。デジタルメディアをリミックスする新生の技術により、エンドユーザがメディア要素を新しいメディア作品に組み合わせることが可能になる。
【０００３】
更に、ＭＰＥＧ−２１規格又は拡張ＩＤ３タグ等の新しいデジタルメディアデータモデルは、デジタルメディアのアイテムについての詳細記述又はメタデータの結合を可能にする。こうしたデータモデルは、メディアアイテムのどの部分が所与のメディアアイテムに含まれるかを判断することを可能にすることができる。現在、こうしたメタデータは通常、アドホックのフォーマットで、例えばＭＰ３ファイル内のＩＤ３タグ等の利用可能なあらゆるタグに手作業で入力されている。しかしながら、既存のシステム及びソフトウェアツールは、視聴覚情報を表すデジタルデータシーケンスをミックスすることを可能にするが、リミックス又は複合された新しいメディアアイテムを共に含む個々の部分メディアのそれぞれのメタデータを体系的に又は正確に統合することを企図又は試みていない。更に、新しいメディア作品は、互いにミックスすることはできるが、こうしたミックスには、複合メディア又はその構成部分の両方のマーケットプレイスを利用可能にするのに必要な権利、ビジネスルール、著作者情報、又は会計処理機能に関連する十分な信頼性がない。このように、メディア自体を組み合わせるときに、メディアアイテムに関連付けられたこうしたメタデータを組み合わせるための方法及びツールが存在しない。
【発明の開示】
【課題を解決するための手段】
【０００４】
本開示は、現在の技術分野におけるこれらの欠点に対処する。一実施形態では、本開示は一般に、メディアアイテム又は部分メディアアイテムに関する権利、ルール、条件、及び様々なタイプの有用な情報を容易に識別するあるタイプのデータコンテナ或いはメタデータサブセットもしくはセットに関する。
【０００５】
本発明は、メディアアイテム及び部分メディアアイテムに関連付けられた様々なタイプのメタデータ及びデータコンテナに関する。一態様では、本発明は、メディアアイテムに関連付けられたデータコンテナ、部分メディアアイテムに関連付けられた権利維持メタデータサブセット、及び複合メディアアイテムに関連付けられたメタデータセットに関する。
【０００６】
別の実施形態では、本開示は一般に、複合メディアアイテムとの関連付けのためのメタデータセット、及び関連付けられたメタデータセットを有する複合メディアアイテムを論理的に作成するためのツールに関する。更なる実施形態では、複合メディアアイテムの組み合わせメタデータを用いて、複合メディアのマーケットプレイスの機能に必要な権利、著作者情報、サーチ及び発見、並びに商取引要件を満たすことができる。
【０００７】
一実施形態では、メディアアイテムとの関連付けのためのデータコンテナは、ソースメディアアイテムから導出されたメディアアイテムの一部分に関連付けられ、該ソースメディアアイテムに関連付けられたソースメタデータから導出される少なくとも１つのメタデータサブセットと、コンテナ関係メタデータと、ソースメディアアイテムである場合とそうでない場合があるメディアアイテムに関連付けられた少なくとも１つのメディアアイテム識別子とを含む。
【０００８】
一実施形態では、メディアアイテムの一部分に関連付けられたメタデータサブセットは、商取引実現情報セットを含む。一実施形態では、商取引実現情報セットは使用権を含む。一実施形態では、使用権は、派生著作物において部分メディアアイテムを使用する権利を含む。データコンテナは、商用指定、非商用指定、発行者の属性、部分メディアアイテムの複製単価、権利保有者の識別情報、ライセンス条件セット、著作権メッセージ、デジタル権利メッセージ、著作権メッセージへのポインタ、及びライセンス情報へのポインタを含むことができる。
【０００９】
一実施形態では、部分メディアアイテムは、ソースメディアアイテムのアカペラトラック、ソースメディアアイテムのバックトラック、ソースメディアアイテムのサンプル、ソースメディアアイテムのグラフィック画像、ソースメディアアイテムのイコライザ事前設定、ソースメディアアイテムの伴奏、及び／又はソースメディアアイテムの一部分のうちのいずれか１つを含むことができる。
【００１０】
一実施形態では、部分メディアアイテム及びメディアアイテムのうちの一方又は両方が、オーディオファイル又はビデオファイルである。別の実施形態では、部分メディアアイテム及びメディアアイテムのうちの一方又は両方がポッドキャストである。部分メディアアイテム及びメディアアイテムのうちの一方又は両方がｍｐ３フォーマットにある。一実施形態では、部分メディアアイテム及びメディアアイテムのうちの一方又は両方がａａｃレコードオーディオトラックである。一実施形態では、部分メディアアイテム及びメディアアイテムのうちの一方又は両方がグラフィック画像である。
【００１１】
一実施形態では、メディアアイテム識別子は、ポインタ、ユニフォームリソースロケータ、オンライン音楽サービスに固有のｉｄ、オンラインコミュニティに固有のｉｄを含むことができる。
【００１２】
一実施形態では、部分メディアアイテム及びメディアアイテムのうちの一方又は両方がサーバから取得される。別の実施形態では、部分メディアアイテム及びメディアアイテムのうちの一方又は両方がユーザのコンピューティングデバイスからアクセスされるユーザのローカルメディアライブラリから取得される。別の実施形態では、部分メディアアイテム及びメディアアイテムのうちの一方又は両方がインターネットから取得される。
【００１３】
一実施形態では、コンテナ関係メタデータは、コンテナの名前を表すテキストストリングを含む。別の実施形態では、コンテナ関係メタデータは、部分メディアアイテムのタイトルを含む。別の実施形態では、コンテナ関係メタデータは、ソースメディアアイテムのタイトルを含む。他の実施形態では、コンテナ関係メタデータは、コンテナが作成された日付、コンテナが修正された日付、コンテナに関連付けられたジャンル、コンテナのサイズ、コンテナの長さ、コンテナに関連付けられたコンテンツのタイプ、コンテナに関連付けられたファイルタイプ、コンテナに関連付けられた国際標準レコーディングコード、コンテナを符号化するためのソフトウェア要件、コンテナを復号するためのソフトウェア要件、及びユーザ定義テキスト情報を含む。
【００１４】
一実施形態では、メタデータサブセットは、演奏者の名前、アルバムの名前、作曲家の識別情報、作詞家の識別情報、部分メディアアイテムがレコーディングされた日付、部分メディアアイテムに関連付けられた言語のタイプ、部分メディアアイテムの元の名前、部分メディアアイテムが公開かれた年、主演奏者の識別情報、部分メディアアイテムに関連付けられたアーティストのウェブページへのリンク、及びオンデマンド音楽サービスのウェブページへのリンクを含む。
【００１５】
一実施形態では、部分メディアアイテムに関連付けられた商取引実現情報メタデータサブセットは、部分メディアアイテムに関連付けられたデジタル定義の商取引実現情報セットを備え、部分メディアアイテムがソースメディアアイテムから導出され、メタデータサブセットが、ソースメディアアイテムに関連付けられた商取引実現情報関係メタデータから導出され、ソースメディアアイテムと部分メディアアイテムとが別個に存在するときには、メタデータサブセットが部分メディアアイテムに関連付けられて保持され、デジタル定義の商取引実現情報と部分メタデータとの間の関係を維持するようにする。
【００１６】
一実施形態では、複合メディアアイテムとの関連付けのためのメタデータセットは、第１のソースメディアアイテムから導出された第１の部分メディアアイテムに関連付けられたデータを表し、且つ第１のソースメディアアイテムに関連付けられた第１のメタデータから導出される第１のメタデータサブセットと、第２のソースメディアアイテムから導出された第２の部分メディアアイテムに関連付けられたデータを表し、且つ第２のソースメディアアイテムに関連付けられた第２のメタデータから導出される第２のメタデータサブセットとを備え、第１の部分と第２の部分とが組み合わせられて複合メディアアイテムを形成し、第１のサブセット及び第２のサブセットが複合メディアアイテムとの関連付けのための新しいメタデータセットを形成し、新しいメタデータセットが第１のメタデータサブセット及び第２のメタデータサブセットに基づいている。
【００１７】
一実施形態では、複合メディアアイテムとの関連付けのためのメタデータセットに関して、第１のメタデータサブセット及び第２のメタデータサブセットに関連付けられたデータは、商取引実現情報を含む。
【００１８】
一実施形態では、商取引実現情報は、第１のメタデータサブセットに関連付けられた第１の権利セットと、第２のメタデータセットに関連付けられた第２の権利セットとを含む。一実施形態では、第１の権利セットと第２の権利セットとが競合する場合には、第１の部分メディアアイテムと第２の部分メディアアイテムとは組み合わせられない。別の実施形態では、第１の権利セットと第２の権利セットとが競合する場合には、第１の部分メディアアイテム及び第２の部分メディアアイテムはファイナライズされない。別の実施形態では、第１の権利セット及び第２の権利セットのうちの一方又は両方が望ましい権利セットに一致しない場合には、第１の部分メディアアイテムと第２の部分メディアアイテムとは組み合わせられない。別の実施形態では、第１の権利セットと第２の権利セットとが類似している場合には、第１の部分メディアアイテムと第２の部分メディアアイテムとは組み合わせられる。一実施形態では、第１の権利セットと第２の権利セットとが競合する場合には、ユーザは通知を受ける。
【００１９】
一実施形態では、第１及び第２の権利セットのうちの一方又は両方が商用又は非商用指定に基づいている。更なる実施形態では、第１の権利セット及び第２の権利セットの両方が商用と指定された場合には、複合メディアアイテムに関連付けられた価格が算出される。
【００２０】
一実施形態では、第１及び第２の権利セットのうちの一方又は両方が属性の識別情報、第１及び第２の部分メディアアイテムの各々の単価、権利保有者の識別情報、及びライセンス条件に基づいている。
【００２１】
一実施形態では、論理組み合わせは、論理演算子セット、権利の論理組み合わせ、及び／又は条件付き論理によって決定される。
【００２２】
一実施形態では、第１のメディアアイテムソース及び第２のメディアアイテムソースのうちの一方又は両方がメディアファイルである。一実施形態では、第１のメディアアイテムソース及び第２のメディアアイテムソースのうちの一方又は両方がビデオファイルである。
【００２３】
一実施形態では、複合メディアアイテムに関連付けられたメタデータセットは、複合メディアアイテムに関連付けられた権利保有者、複合メディアアイテムに関連付けられた複製単価、複合メディアアイテムに関連付けられた属性、複合メディアアイテムに関連付けられた著作権料額、及び／又は複合メディアアイテムに関連付けられたライセンス条件を識別する。
【００２４】
一実施形態では、第１の部分メディアアイテム及び第２の部分メディアアイテムのうちの一方又は両方が、アカペラトラック、バックトラック、及び／又はメディアアイテムのサンプルである。
【００２５】
一実施形態では、複合メディアアイテムに関連付けられたメタデータは、複合メディアアイテムに付加される。
【００２６】
一実施形態では、複合メディアアイテムに関連付けられたメタデータ及び複合メディアアイテムは、デジタルコンテナオブジェクトにされる。
【００２７】
一実施形態では、複合メディアアイテムに関連付けられたメタデータセットは、名前又は説明的用語、商取引実現情報へのポインタ、及び関連付けられたメディアアイテムの場所へのポインタを含む。一実施形態では、メタデータセットは、複合メディアアイテムに関連付けられた情報タグの少なくとも１つのセットを更に含む。別の実施形態では、メタデータセットは、複合メディアアイテムに関連付けられたフォーマットタイプを更に含み、コミュニティ又はオンライン音楽サービスに固有のＩＤを更に含む。一実施形態では、名前又は説明的用語はメタデータセットに関連付けられる。別の実施形態では、名前又は説明的用語は複合メディアアイテムに関連付けられる。
【００２８】
一実施形態では、メディアアイテムに関連付けられたデータコンテナは、名前又は説明的用語、商取引実現情報へのポインタ、及び関連付けられたメディアアイテムの場所へのポインタを含む。一実施形態では、データコンテナは、メディアアイテムに関連付けられた情報タグの少なくとも１つのセット、複合メディアアイテムに関連付けられたフォーマットタイプ、及び／又はコミュニティ又はオンライン音楽サービスに固有のＩＤを含む。一実施形態では、名前又は説明的用語は、データコンテナに関連付けられ、又はメディアアイテムに関連付けられる。
【００２９】
一実施形態では、部分メディアアイテムに関連付けられたメタデータサブセットは、名前又は説明的用語、商取引実現情報へのポインタ、及び関係付するメディアアイテムの場所へのポインタを含む。一実施形態では、メタデータサブセットは、部分メディアアイテムに関連付けられた情報タグの少なくとも１つのセット、部分メディアアイテムに関連付けられたフォーマットタイプ、及び／又はオンライン音楽サービスに固有のＩＤを更に含む。一実施形態では、名前又は説明的用語は、データコンテナに関連付けられ、又はメディアアイテムに関連付けられる。
【発明を実施するための最良の形態】
【００３０】
本出願の一部を形成する添付図面は、本開示の実施形態を例示しており、本開示の範囲をいかなる方法によっても限定することを意図するものではなく、この範囲は、本出願に添付する請求項に基づくものとする。
【００３１】
一実施形態では、本開示は、メディアアイテムに関連付けられたデータコンテナに関する。別の実施形態では、本開示は、メディアアイテムの一部分に関連付けられた権利維持メタデータサブセットに関する。別の実施形態では、本開示は、複合メディアアイテムとの関連付けのためのメタデータセット、及び関連付けられたメタデータセットを有するこうした複合メディアアイテムを作成するためのツールに関し、ここで複合メディアアイテムは、メディアアイテム及びメタデータサブセットの一部分を含む。
【００３２】
更なる実施形態では、データコンテナ、権利維持メタデータサブセット、複合メディアアイテムに関連付けられたメタデータセット、又はツールのいずれかは、複合メディアのマーケットプレイスの機能に必要な権利、著作者情報、サーチ及び発見、並びに商取引要件を満たすのに用いることができる。
【００３３】
ここで、各図を参照しながら本開示の幾つかの実施形態を説明する。各図では、同じ参照番号は同じ構成要素を示す。各図は、例示的な実施形態として意図され、限定を意図するものではない。本明細書で用いる用語「メディア」又は「メディアアイテム」とは、あらゆるタイプ又はカテゴリの経験可能で検索可能なファイル及び／又は格納されたメディアを単独で又は集合的に含むように広義に用いられ、メディア又はコンテンツの個々のアイテムは一般に、エントリ、楽曲、トラック、アイテム、又はファイルと呼ばれるが、本明細書に記載される概念の特徴及び機能は、一般に、聴覚的、視覚的、或いは現在公知であるか又は公知になるどのような方法であるかに関係なく、ユーザが体験することができるあらゆる格納可能及び／又は検索可能なアイテムに適用することを意図しているので、いずれの用語の使用も限定とみなされるべきではない。更に、メディアという用語は、オーディオ及びビデオ、テキスト、写真、又は他の形式のようなあらゆるタイプのメディアを含む。
【００３４】
一実施形態では、データコンテナは、メディアアイテムに関連付けられる。この実施形態では、コンテナは、アイテム及び又は他のコンテナをグループ化することを可能にする構造体である。別の実施形態では、コンテナはまた、コンテナ内に物理的に置かれる場合があり、又は置かれない場合もあるメタデータセットを含むこともできる。１つの例示的な実施形態では、メディアアイテムに関連付けられたデータコンテナは、ソースメディアアイテムから導出されたメディアアイテムの一部分に関連付けられ、ソースメディアアイテムに関連付けられたメタデータから導出される少なくとも１つのメタデータサブセットと；コンテナ関係メタデータと；上記ソースメディアアイテムであってもよく、そうでなくてもよいメディアアイテムに関連付けられた少なくとも１つのメディアアイテム識別子とを含む。従って、一実施形態では、データコンテナは、部分メディアアイテムに関連付けられたあらゆる数及びタイプのメタデータセットと、コンテナ自体に関連付けられたあらゆる数及びタイプのメタデータセットと、あらゆる数及びタイプのメディアアイテム識別子とを含む。例えば、一実施形態では、データコンテナは、各々が異なる部分メディアアイテムに関連付けられた３つのメタデータセット、５つの異なるタイプのコンテナ関係メタデータ、及び６つのメディアアイテム識別子を含むことができる。
【００３５】
一実施形態では、データコンテナは、少なくとも１つのメタデータサブセットを含む。一実施形態では、メタデータサブセットは、部分メディアアイテムに関連付けられ、且つソースメディアアイテムに関連付けられたメタデータから導出されたサブセット又は識別可能なグループである。
【００３６】
１つの例示的な実施形態では、メタデータサブセットは、アーティスト又は演奏者の名前、アルバムの名前、作曲家の識別情報、作詞家の識別情報、主演奏者又は独奏者の識別情報、ジャンル、テンポ、リズムパターン、メディアアイテムのレコーディングの日付又は時間、メディアアイテムに関連する言語の識別情報、メディアアイテムの元のファイル名、メディアアイテムの元の公開年、メディアアイテムのフォーマットタイプ、オンデマンド音楽サービス又はインターネットラジオ局の公式ウェブページへのＵＲＬ又はリンク、或いはメディアアイテムに関連するアーティスト、アルバム、権利保有者、又はプロデューサの公式ウェブページへのＵＲＬ又はリンク等の部分メディアアイテムについての情報又はデータを含む。
【００３７】
例えば、ソースメディアアイテムは、バックトラック部分メディアアイテム、ｊｐｅｇ画像部分メディアアイテム、及びアカペラ部分メディアアイテムを含むオーディオメディアファイルとすることができる。従って、部分メディアアイテムに関連付けられたメタデータサブセットは、各部分メディアアイテムの作成の日付、各部分メディアアイテムのサイズ、又は各部分メディアアイテムの複製単価といった、バックトラック部分メディアアイテム、ｊｐｅｇ画像部分メディアアイテム、及びアカペラ部分メディアアイテムについてのデータ又は情報を含むことができる。
【００３８】
別の実施例では、部分メディアアイテムは、メディアアイテムの楽器演奏部分とすることができる。従って、メタデータサブセットは、楽器演奏部分の作曲家又は主演奏者の識別情報、テンポ、タイミング、主音、又は他のこうした情報等、楽器演奏部分に関連付けられたメタデータである。
【００３９】
更なる実施形態では、メディアアイテムの一部分（部分メディアアイテム）に関連付けられたメタデータサブセットは、商取引実現情報セットを含む。一実施形態では、商取引実現情報は、メディアアイテム又は部分メディアアイテムの使用を規定する。商取引実現情報は、非限定的な例証として、メディアアイテムを含む電子商取引を可能にするのに利用することができる情報、データ、又はこれらへのポインタを意味する。例えば、こうした商取引実現情報は、属性の識別情報、権利保有者の識別情報、ウェブサイトのリンク又はアドレス、著作権メッセージ又はこれへのポインタ、ライセンス情報又はこれへのポインタ、或いはデジタル権利管理（ＤＲＭ）関係ライセンス又は認可もしくはこれへのポインタを含むことができる。更に商取引実現情報は、部分メディアアイテムの著作者情報、各部分メディアアイテムの著作権料額、メディアアイテムの複製単価、部分メディアアイテムが組み合わせに利用可能であるか否かを含むことができ、部分メディアの使用を規定するビジネス条件、ルール、及び権利は、部分メディアアイテムが非商用又は商用専用と指定されるか、或いはあらゆる派生著作物への包含に利用不能と指定されるか、又はその逆にあらゆる派生著作物への包含に利用可能と指定されて、継承として指定され、すなわち部分メディアを含む新しい派生著作物を同等のライセンス条件でのみ利用可能とすることができるといった、メタデータサブセットから導出された指定を含むことができる。
【００４０】
一実施形態では、部分メディアアイテムは、メディアアイテムのあらゆるタイプの識別可能部分又は構成要素とすることができる。例えば、アカペラトラック、バックトラック、メディアアイテムレコーディングのサンプル又はループ、メディアアイテムのビート、メディアアイテムのコード、グラフィック画像、イコライザ事前設定、バンド又はオーケストラの伴奏、楽器演奏、指揮者又は演奏者の洗練度、或いは一連の曲の一部である。
【００４１】
一実施形態では、データコンテナは、メディアアイテム識別子を含む。１つの例示的な実施形態では、メディアアイテム識別子は、メディアアイテムに関連付けられる。別の例示的な実施形態では、メディアアイテム識別子は、メディアアイテム及びメディアアイテム自体のコンテンツを識別する情報を含む。他の実施形態では、メディアアイテムは、幾つかのソースから異なる方式で配置、識別、及び／又は取得することができる。例えば、部分メディアアイテムは、サーバから、ユーザのローカルメディアライブラリから、オンデマンドのストリーミング音楽サービスから、及び／又はインターネットから取得することができる。一実施形態では、メディアアイテム識別子は、ソースメディアアイテムであっても又はそうでなくてもよいアイテムに関連付けられる。別の実施形態では、メディアアイテム識別子は、ポインタ、ユニフォームリソースロケータ、或いはオンライン音楽サービス又はオンラインコミュニティに固有のｉｄとすることができる。
【００４２】
更に、一実施形態においては、データコンテナは、コンテナ自体に関係するメタデータを含む。１つの例示的な実施形態では、コンテナ関係メタデータは、コンテナの名前を表すテキストストリング、部分メディアアイテムのタイトルを表すテキストストリング、コンテナが作成された日付及び／又は最後に修正された日付、コンテナ内のアイテム全般に関連するジャンル、コンテナのサイズ、コンテナの長さ、コンテナのコンテンツタイプ、ファイルタイプ、コンテナに関連する国際標準レコーディングコード、コンテナ及びそのアイテムを符号化及び復号化するのに必要なソフトウェア及び／又はハードウェア、及び／又はあらゆるユーザ定義テキスト情報を含む。ポインタは、あらゆる場所に配置され、コンテナ自体内にでさえも配置されたメディアアイテムを指し示す。
【００４３】
例証として、以下では、データコンテナを作成するための幾つかの構築及び方法が説明される。例えば、コンテナは、コンテナに対して作用し又はコンテナを利用するソフトウェアプログラムは、メタデータ又はデータの所与のフィールド又は部分が有用な情報を表すデータを含むことを見込むことができるように構築することができる。コンテナがソフトウェアオブジェクトを含むことができ、或いはソフトウェアオブジェクトがコンテナを含むことができる。更に、こうしたコンテナは、内部ヘッダー情報を有する線形のデータストリングを用いるＸＭＬ、或いは使用される言語の習慣性に応じてソフトウェアオブジェクト内でデータがカプセル化される、Ｊａｖａ（登録商標）又はＣ＋＋プログラミング言語で利用されるものなどのソフトウェアオブジェクト等の様々な方法を用いて作成することができる。また、現在当業者には公知であるこうしたデータコンテナ、又は将来におけるその等価物を作成するためのあらゆる全ての方法及びプログラムを企図している。
【００４４】
図７は、メディアアイテムに関連付けられたデータコンテナ７２１の１つの例示的な実施形態を示している。図７に示す実施形態で分かるように、データコンテナ７２１は、部分メディアアイテムに関連付けられた第１のメタデータサブセット７１８と、部分メディアアイテムに関連付けられた第２のメタデータサブセット７１９と、部分メディアアイテムに関連付けられた第３のメタデータサブセット７２０と、コンテナ関係メタデータ７１７とから構成される。図７に示す実施形態では、第１のメタデータサブセット７１８は、完全なメディアアイテム又はソースメディアアイテムであり、第２のメタデータサブセット７１９は、アカペラボーカル、すなわち完全なメディアアイテムに含まれる同じボーカルであるが、いかなる楽器演奏も伴わないものであり、第３のメタデータサブセット７２０は、ｊｐｅｇ等のグラフィック画像である。
【００４５】
一実施形態では、コンテナ関係メタデータ７１７は、コンテナ自体の属性に関連するあらゆるタイプ、組み合わせ、又は数の情報或いはデータを含むことができる。別の実施形態では、コンテナ関係メタデータは、メディアアイテムソース、部分メディアアイテム、又はメディアアイテムの属性に関連付けられたあらゆるタイプ、組み合わせ、又は数の情報又はデータを含むことができる。１つの例示的な実施形態では、図７に示すように、コンテナ関係メタデータ７１７は、コンテナに関連付けられた名前又は説明的用語７００、内部メタデータサブセット参照情報７０６、コミュニティ又はオンライン音楽サービスに固有のＩＤ７０１、コンテナのフォーマットタイプ７０２、情報タグセット７０３、権利セットへのポインタ７０４、関連付けられたメディアアイテムの物理的なファイルの場所へのポインタ７０５を含む。類推すると、コンテナはメディアアイテムに対するゲノムを表し、内部メタデータは、新しいメディアの「生命形態」を生成するためにスプライスすることができるＤＮＡに類似している。
【００４６】
データコンテナのメタデータサブセットの１つの例示的な実施形態を図７に示す。上記に説明したように、メタデータサブセットは、部分メディアアイテムに関連付けられたメタデータから導出されるサブセット又は識別可能なグループである。例えば、メタデータサブセットは、アーティスト又は演奏者の名前、アルバムの名前、作曲家の識別情報、作詞家の識別情報、主演奏者又は独奏者の識別情報、メディアアイテムのレコーディングの日付又は時間、メディアアイテムに関連する言語の識別情報、メディアアイテムの元のファイル名、メディアアイテムの元の公開年、メディアアイテムのフォーマットタイプ、オンデマンド音楽サービス又はインターネットラジオ局の公式ウェブページへのＵＲＬ又はリンク、或いはメディアアイテムに関連付けられたアーティスト、アルバム、権利保有者、又はプロデューサの公式ウェブページへのＵＲＬ又はリンク等の、部分メディアアイテムについてのあらゆる数及び組み合わせの情報又はデータを含むことができる。図７で分かるように、メタデータサブセット７１８、７１９、７２０の各々は、内部メタデータサブセット参照情報２０６、７１３、７１６、サブセットのタイプに関連付けられた名前又は説明的用語７０７、７２７、７３０、コミュニティ又はオンライン音楽サービスに固有のＩＤ７０８、７２８、７３１、サブセットのフォーマットタイプ７０９、７２９、７３３、情報タグ７１０、７２５、７２５、ライセンスへのポインタ７１１、７１４、７２６、及び関連付けられたメディアアイテムの物理的なファイルの場所へのポインタ７１２、７１５、７３２を含む。
【００４７】
一実施形態では、コミュニティ又はオンライン音楽サービスに固有のコンテナＩＤ７０１、７０８、７２８、７３１は、固有のＩＤを割り当てることができるあらゆるタイプの実体に関連付けることができる。更に、固有ＩＤは、登録部又は固有ＩＤの集合内に保持することができる。登録部は、あらゆるタイプの実体又は実体の連合によって維持することができる。
【００４８】
一実施形態では、コンテナのフォーマットタイプ７０２は、データコンテナ内で参照されるメディアアイテムの性質を記述する。例えば、フォーマットは、オーディオ、ポッドキャスト、視覚材料を含む拡張ポッドキャスト、ＭＰ３又はＡＡＣオーディオトラック、デジタルビデオ、ｅ−ブック、又はウェブページ、ブログ又は他のフォーマットとすることができる。更に、ＪＰＥＧスチール画像等の静的メディアも含めることができる。更なる実施形態では、フォーマットタイプは、データコンテナ内に含まれる全ての異なるタイプのフォーマットタイプの論理組み合わせ又は連結体とすることができる。本開示では、論理、論理的、及びルールという用語は同義的に用いられ、一般に、望ましい結果を得るように実施し従うことができるルール、命令、又は発見的方法のあらゆる特定用途のセットを広義に指すことを意図している。従って、メタデータサブセットの各々のフォーマットタイプ７０９、７２９、７３３は、オーディオ、ポッドキャスト、視覚材料を含む拡張ポッドキャスト、ＭＰ３又はＡＡＣオーディオトラック、デジタルビデオ、ｅ−ブック、ブログエントリ、ＪＰＥＧスチール画像等の静的メディア、或いは他のフォーマットとすることができる。
【００４９】
一実施形態では、情報タグ７０３、７１０、７２５、７２５は、数又は長さに応じて変えることができる。図７に示す実施形態では、情報タグは、コンテナ自体７０３に関連付けられている。別の実施形態では、情報タグ７１０、７２４、７２５は、メタデータサブセット７１８、７１９、７２０に関連付けられる。コンテナ関係メタデータ情報タグ７０３の例示的な引用を図７に示す。図に示すように、コンテナ関係メタデータ７０３に関連付けられた情報タグは、コンテナのサイズ７２１、コンテナが作成された日付７２２、及びコンテナが最後に修正された日付７２３を含む。メタデータサブセット７１８、７１９、７２０及び／又はコンテナ関係メタデータ７０３に含まれる他のタイプの情報タグは、限定ではないが、コンテナの名前を表すテキストストリング、部分メディアアイテムのタイトルを表すテキストストリング、価格情報、コンテナ内のアイテム全般に関連するジャンル、コンテナの長さ、コンテナのコンテンツタイプ、ファイルタイプ、コンテナに関連する国際標準レコーディングコード、コンテナ及びそのアイテムを符号化及び復号化するのに必要なソフトウェア及び／又はハードウェア、及び／又はあらゆるユーザ定義テキスト情報を含む。
【００５０】
一実施形態では、ライセンス７０４、７１１、７１４、７２６へのポインタは、限定ではないが、ライセンス情報又は関係メッセージ、ＤＲＭ認可又はメッセージ、契約条件、又は著作権情報もしくはメッセージへのポインタを含む。１つの例示的な実施形態では、ＵＲＬは、例えばマシン読み取り可能クリエイティブコモンズライセンス等のマシン読み取り可能ライセンス情報を含む文書を参照することができる。別の実施形態では、ライセンス情報は、メタデータサブセット及び／又はデータコンテナ自体内に直接埋め込むことができる。一態様において、ライセンス条件又は権利セットの間接的な参照によって、全ての関係メタデータサブセット及び／又はデータコンテナに新しいライセンス条件を伝達するのに宛先文書のみしか変更する必要がないような条件の更新が可能になる。
【００５１】
一実施形態では、関連するメディアアイテムの物理的なファイルの場所へのポインタ７０５、７１２、７１５、７３２は、部分メディアアイテム又はメディアアイテムを見つけることができる物理なファイルの場所へのポインタを含む。別の実施形態では、メディア自体は、メタデータサブセット及び／又はデータコンテナ内に直接埋め込むことができる。一実施形態では、ＵＲＬは、サーバ上に格納されたＡＡＣオーディオの部分メディアアイテムを参照することができる。更にメディアアイテム又は部分メディアアイテムは、サーバ、インターネット、又はユーザのローカルメディアライブラリから取得することができる。従って、一態様において、部分メディアアイテム又はメディアアイテムの間接的な参照を通じて、商取引実施において全てのトランザクションでファイルを交換するといった不都合さ又は代償なしに、データコンテナを交換することができるので、配信及び商取引が簡略化される。従って、データコンテナを所有するユーザは、ユーザが望む場合には、自分の最適なメディアプレーヤにメディアをストリーミング又は転送させるようにすることができる。
【００５２】
一実施形態では、部分メディアアイテムに関連付けられた商取引実現メタデータサブセットが開示される。１つの例示的な実施形態では、商取引実現メタデータサブセットは、部分メディアアイテムに関連付けられた商取引実現情報セットを含むことができ、ここで、部分メディアアイテムは、ソースメディアアイテムから導出され、メタデータサブセットは、ソースメディアアイテムに関連する商取引実現関係メタデータから導出される。上述のように、部分メディアアイテム及びソースメディアアイテムは、様々なタイプのものとすることができる。従って、ソースメディアアイテムと部分メディアアイテムとが別個に存在するときに、商取引実現情報と部分メタデータとの間の関係を維持するため、メタデータサブセットは、部分メディアアイテムに関連付けられたまま保持される。
【００５３】
一実施形態では、商取引実現情報は、部分メディアアイテムの使用を規定する情報を含む。例えば、一実施形態では、こうした商取引実現情報は、属性の識別情報、権利保有者の識別情報、ウェブサイトのリンク又はアドレス、著作権メッセージ又はこれへのポインタ、ライセンス情報又はこれへのポインタ、或いはデジタル権利管理（ＤＲＭ）関係メッセージ又はこれへのポインタを含む。更に商取引実現情報は、部分メディアアイテムの著作者情報、各部分メディアアイテムの著作権料額、メディアアイテムの複製単価、部分メディアアイテムがメディアアイテムとの組み合わせに利用可能であるか否かを含み、部分メディアの使用を規定するビジネス条件、ルール、及び権利は、部分メディアアイテムが非商用又は商用専用と指定されるか、或いはあらゆる派生著作物内への包含に利用不能と指定されるか、又はその逆にあらゆる派生著作物への包含に利用可能と指定されて継承として指定され、すなわちこの部分メディアを含む新しい派生著作物を同等のライセンス条件でのみ利用可能とすることができるといった、メタデータサブセットから導出された指定を含むことができる。
【００５４】
更なる実施形態では、商取引実現メタデータサブセットは、上述のようにデータコンテナの一部とすることができる。別の実施形態では、商取引実現メタデータサブセットは、以下に更に詳細に説明するように複合メディアアイテムを作成するのに用いられる部分メディアアイテムに関連付けることができる。
【００５５】
一実施形態では、複合メディアアイテムとの関連付けのためのメタデータセットが開示される。一実施形態では、複合メディアアイテムとの関連付けのためのメタデータセットは、第１のソースメディアアイテムから導出されたメディアアイテムの第１の部分に関連付けられたデータを表し、第１のソースメディアアイテムに関連付けられた第１のメタデータから導出された第１のメタデータサブセットと；メディアアイテムの第２の部分に関連付けられたデータを表す第２のメタデータサブセットとを備え、第２の部分が、第２のソースメディアアイテムから導出され、第２のメタデータサブセットが、第２のソースメディアアイテムに関連付けられた第２のメタデータから導出され、第１の部分と第２の部分とが組み合わせられて複合メディアアイテムを形成し、第１のサブセット及び第２のサブセットは、第１のメタデータサブセット及び第２のメタデータサブセットに基づく所定情報を含む、複合メディアアイテムとの関連付けのためのメタデータセットを形成する。
【００５６】
複合メディアアイテムに関連付けられたメタデータは、あらゆる数又はあらゆるタイプのメタデータサブセットから形成することができる。上述のように、一実施形態では、メタデータサブセットは、部分メディアアイテムに関連付けられたメタデータから導出されるサブセット又は識別可能なグループとすることができる。更に、上述のように、一実施形態では、部分メディアアイテム又はソースメディアアイテムは、メディアアイテムのあらゆるタイプの識別可能な部分又は構成要素を含む。
【００５７】
図６は、２つの部分メディアアイテムから作成される複合メディアアイテムの１つの例示的な実施形態を概念的形態で示している。図６で分かるように、複合メディアアイテム６００は、「Ｈｏｌｌａｂａｃｋ  Ｉｎｃ」というタイトルのトラックである。図６に示すように、複合メディアアイテムは、２つの部分メディアアイテム「Ｈｏｌｌａｂａｃｋ」６０２及び「Ｆｅｅｌ  Ｇｏｏｄ  Ｉｎｃ」６０４から作成される。部分メディアアイテム６０２、６０４を組み合わせて複合メディアアイテム６００を作成するのに加えて、部分メディアアイテム６０２、６０４に関連付けられるメタデータサブセットを組み合わせて、ライセンス情報６００及びグラフィック画像６０６を含む複合メディアアイテムに関連付けられたメタデータを作成する。詳細には、複合メディアアイテム６００は、「Ｈｏｌｌａｂａｃｋ」６０３及び「Ｆｅｅｌ  Ｇｏｏｄ  Ｉｎｃ」６０５の両方からのライセンス引用である２つのメタデータサブセットに基づくライセンス６０１を含む関連メタデータを有する。更に、複合メディアアイテム６００に関連付けられたメタデータ、すなわちこの事例では、部分メディアアイテム「Ｈｏｌｌａｂａｃｋ  Ｉｎｃ」６００に関連付けられたグラフィック画像６０６は、「Ｈｏｌｌａｂａｃｋ」６０７からのグラフィック画像と「Ｆｅｅｌ  Ｇｏｏｄ  Ｉｎｃ」６０８からのグラフィック画像である、２つの他のメタデータサブセットの組み合わせから作成される。
【００５８】
一実施形態では、部分メディアアイテム／メタデータサブセットは、関係メタデータを識別し、該メタデータを抽出し、更にメタデータを組み合わせてメタデータの新しいセットにすることができるメタデータプロセッサを用いて組み合わせられる。一実施形態では、部分メディアアイテム／メタデータサブセットは、メタデータサブセットを連結することによって組み合わせることができる。別の実施形態では、部分メディアアイテムは、以下に更に詳細に説明する論理及び／又はルールのセットを用いて組み合わせられる。
【００５９】
一実施形態では、複合メディアアイテムに関連付けられたメタデータの新規に形成されたセットは、メタデータサブセットに基づく所定の情報を含む。一実施形態では、所定の情報は、メタデータサブセットから導出されたあらゆる情報を含む。別の実施形態では、所定の情報は、メディアアイテムの名前、メディアアイテムの場所、メディアアイテムの性質、メディアアイテムのサイズ、メディアアイテムの作成日、メディアアイテム及び又はメタデータの最終修正日、メディアアイテムがアクセスされた最終日、メディアアイテムを読み出し、書き込み、及び／又は実行することができる人の識別情報のようなメディアアイテムに関連付けられた許可、並びに上記で説明したメタデータサブセットタイプのいずれかといった、メタデータ情報のいずれかのタイプとすることができる。
【００６０】
別の実施形態では、所定の情報は、部分メディアに関連付けられた権利保有者の識別情報を含む。例えば、部分メディアアイテムを配信し再生する権利を所有するレコードレーベル又はプロデューサである。
【００６１】
別の実施形態では、所定の情報は、部分メディアアイテムの使用を規定する商取引実現情報を含む。上述のように、こうした商取引実現情報は、属性の識別情報、権利保有者の識別情報、ウェブサイトのリンク又はアドレス、著作権メッセージ又はこれへのポインタ、ライセンス情報又はこれへのポインタ、或いはデジタル権利管理（ＤＲＭ）関係ライセンスもしくは認可又はこれへのポインタを含むことができる。また商取引実現情報は、必須ではなく好ましくは、部分メディアアイテムの著作者情報、各部分メディアアイテムの著作権料額、メディアアイテムの複製単価、部分メディアアイテムが組み合わせに利用可能であるか否かを含み、部分メディアの使用を規定するビジネス条件、ルール、及び権利は、部分メディアアイテムが非商用又は商用専用と指定されるか、或いはあらゆる派生著作物内への包含にも利用不能と指定されるか、又はその逆にあらゆる派生著作物への包含に利用可能と指定されて継承と指定されるか、すなわち部分メディアを含む新しい派生著作物を同等のライセンス条件でのみ利用可能とすることができるといった、メタデータサブセットから導出された指定を含むことができる。
【００６２】
別の実施形態では、複合メディアアイテムに関連付けられたメタデータの新規に形成されたセットは、所定の情報だけではなく、所定の情報の論理組み合わせを含む。例えば、１つの部分メディアアイテムの複製単価を０．５０セントとすることができ、別の部分メディアアイテムの複製単価を０．８０セントとすることができる。従って、論理演算子を通じて、価格を加算し、２つの部分メディアアイテムに基づく複合メディアアイテムの最低価格１．３０ドルがもたらされる。或いは、価格は、例えば値引き又は別の価格モデルを適用することができるように、部分依存とすることができる。
【００６３】
更なる実施形態では、論理は条件付き論理である。例えば、１つのメタデータサブセットは、商用専用と指定することができ、これは、同じく商用専用と指定されたメタデータサブセットを有する他の部分メディアアイテムのみとしか組み合わせを行うことができないことを意味する。従って、一実施形態では、メタデータサブセットから導出される指定事項が、論理演算子又はルールのセットを適用することによって判定された結果競合する場合には、部分メディアアイテムを組み合わせることができない。
【００６４】
一実施形態では、関連付けられたメタデータセットを有する複合メディアアイテムを作成するためのツールが開示される。上記に説明された複合メディアアイテムに関連付けられたメタデータ、データコンテナ、及び権利維持メタデータセットは、開示されるツールのみによって作成されることに限定されず、他のタイプのプログラム及び方法が企図される点に留意することが重要である。
【００６５】
一実施形態では、ツールは、ソフトウェアアプリケーションの一部とすることができる。別の実施形態では、ツールは、例えばＭｕｓｉｃＭａｔｃｈ  Ｊｕｋｅｂｏｘ及び／又はＹａｈｏｏ！Ｍｕｓｉｃ  Ｅｎｇｉｎｅの商標名で販売されているメディアアプリケーション等の音楽管理アプリケーションに組み込まれたソフトウェアアプリケーションの一部とすることができる。更なる実施形態では、ツールは、メタデータを識別、抽出、及び組み合わせるためのメタデータプロセッサを含むことができる。更に別の実施形態では、メタデータプロセッサはまた、異なるメディアアイテムのメタデータ言語を解釈及び／又は翻訳して同じメタデータ言語にし、よってメタデータをより容易に組み合わせた後に適用された通りに解釈することができるようにするためのメタデータ言語インタープリタ又はトランスレータを含むこともできる。
【００６６】
一実施形態では、ツールは、エンドユーザのコンピューティングデバイス上にローカルに格納することができる。別の実施形態では、ツールは、遠隔コンピューティングデバイス又は遠隔サーバからアクセス可能とすることができる。別の実施形態では、ツールは、ストレージ媒体内又は信号内に埋め込まれたマシン読み取り可能コードとすることができる。一実施形態では、コンピューティングデバイスは、パーソナルコンピュータ、携帯情報端末、セルラー電話、及び／又は本明細書に説明するツールに対応することができる現在公知又は公知になるあらゆるデバイスとすることができる。
【００６７】
一実施形態では、ツールは、第１のメタデータを有する第１のメディアアイテムの一部分を抽出するため、及び第２のメタデータを有する第２のメディアアイテムの一部分を抽出するための構成要素と、第１の部分及び第２の部分を組み合わせて複合メディアアイテムを形成するための構成要素と、更に好ましくは、第１及び第２のメタデータを解析し、第１及び第２のメタデータの所定の部分を抽出して複合メディアアイテムに関連付けるためのメタデータの新しいセットを形成するようにする構成要素とを含む。
【００６８】
一実施形態では、メディアアイテムの一部分は、コンテナを調べてどの部分が利用可能であるかを検出し、次いで、物理的なメディアへのリンクを辿り、その場所からメディアをダウンロードし、或いは取得することによって抽出することができ、コンテナに表された場所がローカルであるか、実際には調べられているファイル内のメタデータに結合されているか、或いはインターネット又は他のネットワークを介してアクセス可能な遠隔のコンピュータ上に位置するかには関係しない。
【００６９】
一実施形態では、メタデータが解析される。一実施形態では、メタデータを解析する段階は、メタデータを横断して、既知の情報のアイテム発見に応じて情報を調べ、次いで、これらの情報のアイテムを既知のスキーマに関係付けて、これらの情報のアイテムに論理又はルールベースプロセスを受けさせ、この部分メディアを組み合わせることができるかどうか、及びどの商用条件がこうした組み合わせを規定することができるかを判断することができるようにすることを含む。一実施形態では、関係情報は、コンテナオブジェクト内の部分メタデータから複製され、部分メディアアイテムの操作中にプログラムによって用いられるデータ構造体中に挿入される。次いで、データに対して作用することができるオブジェクト指向プログラム手法等のプログラム論理を適用し、部分メディアの解析又は組み合わせに関係するタスクを行うことができる。組み合わせられた情報を保持することになる処理中のデータコンテナがまたこのプログラムによって作成され、関係情報がこのデータコンテナ内に挿入される。従って、一実施形態では、仕上げ作業が完了すると、処理中のデータコンテナは、その転送をユーザ又はマシン間でローカルに又はネットワークにわたって可能にする形態に保存される。
【００７０】
一実施形態では、本明細書で更に詳細に説明し、又は本明細書の教示に従って、開発される論理及び／又はルールのセットに応じて第１の部分及び第２の部分が組み合わせられる。
【００７１】
別の実施形態では、関連するセットのメタデータを有する複合メディアアイテムを作成するためのツールは、第１のソースメディアアイテムから導出された第１の部分メディアアイテムに関連付けられたデータを表し、且つ第１のソースメディアアイテムに関連付けられた第１のメタデータから導出される第１のメタデータサブセットを識別するためのモジュールと；第２のソースメディアアイテムから導出された第２の部分メディアアイテムに関連付けられたデータを表し、且つ第２のソースメディアアイテムに関連付けられた第２のメタデータから導出される第２のメタデータサブセットを識別するためのモジュールと；第１の部分と第２の部分とを組み合わせて複合メディアアイテムを形成するためのモジュールと；第１のサブセットと第２のサブセットとを組み合わせて、第１のメタデータサブセット及び第２のメタデータサブセットに基づく所定の情報を含む、複合メディアアイテムとの関連付けのためのメタデータセットを形成するようにするモジュールと；を備える。本明細書で用いられ用語「モジュール」は、タスク、機能、又は動作を実施することができるソフトウェア、ハードウェア、ファームウェア、信号、又はこれらの組み合わせのあらゆる単一又は複数の構成要素を定義又は記述するように、非限定的に広義に用いられる。モジュールは、他のモジュールで形成することができ、又は他のモジュールの一部で形成することができ、或いはネットワーク又はその一部にわたって配信された機能の結果とすることができる。
【００７２】
一実施形態では、メタデータサブセットは、アーティスト、アルバム、曲タイトル、ジャンル、テンポ、タイミング、リズム、メタデータのタイプ又はカテゴリ、価格、権利保有者、ビジネス又はライセンス条件又はルール、或いは上記に説明されメタデータサブセットに関連付けられた情報のタイプのいずれか等、メタデータサブセットに関連付けられた入力基準を用いてユーザベースのサーチによって識別される。別の実施形態では、メタデータサブセットは、エンドユーザのコンピュータ上で動作可能又はネットワークを介して利用可能とすることができるブラウジングツールを通じて識別される。別の実施形態では、メタデータは、メタデータプロセッサを介して識別される。別の実施形態では、メタデータサブセットは、メタデータ言語トランスレータ又はインタープリタを用いて識別される。別の実施形態では、メタデータサブセットは、コンテナ関係メタデータを調べてこれらのサブセットへのポインタを発見することによって識別される。言い換えれば一実施形態では、ヘッダー情報は、メタデータサブセットのリンクリストへのポインタを含むことが分かっている。プログラムが、コンテナメタデータを調べることによってリンクリストの開始点を見つけたときには、この後第１のメタデータサブセットを見つけ、このメタデータ内で、次のメタデータサブセットへのポインタ又はデータの場所を見つけ、以下同様とすることができる。関係するデータのセット又はこうしたデータのサブセットを横断して調べるための幾つかの手法が存在する。例えば、他の実施形態は、テーブル、ＸＭＬタグ、ポインタのアレイ等の使用を含む。あらゆるこうした方法及び他の方法は、メタデータサブセットを識別することができる手法である。こうしたサブセットが識別されると、同様の技術により、プログラムがメタデータサブセットを含む情報の個々の要素を抽出することが可能になる。
【００７３】
一実施形態では、メタデータサブセットは、ＳＱＬステートメント、メタデータサブセットを導出するように構築されたＡＰＩ、又は上記に説明した方法のいずれかを用いてデータ辞書に照会を行うことによってメタデータから導出される。
【００７４】
一実施形態では、メタデータサブセットを組み合わせて、メタデータプロセッサを介して複合メディアアイテムに関連付けられたメタデータセットにすることができる。一実施形態では、メタデータプロセッサは、各々メディアアイテム及び部分メディアアイテムに関連付けられたメタデータを調べて識別することができるソフトウェアプログラムである。
【００７５】
メタデータを組み合わせる１つの例示的な実施形態を図３ｃに示す。図３ｃは、各々がメディアアイテム又はソースメディアアイテム（図示していない）に関連付けられ、少なくとも１つのメタデータサブセットを含むメタデータの２つのセット３００、３０１を示している。更にこれらのメタデータサブセットの一部又は全てが組み合わされて、複合メディアアイテム（図示していない）に関連付けられた新しいメタデータ３０３を形成する。図３ｃに示すように、メディアアイテム又はソースメディアアイテム（図示していない）に関連付けられたメタデータ３００、３０１は、メタデータサブセット３０４、３０６、３０７、３０８、３０５、３０９、３１０を含む。一実施形態では、メタデータサブセット３０４、３０６、３０７、３０８、３０５、３０９、３１０は各々部分メディアアイテムに関連付けられ、該部分メディアアイテムは、メディアアイテム又はソースメディアアイテム（図示していない）から導出される。例えば、図３ｃでは、アカペラの部分メディアアイテムに関連付けられたメタデータサブセット３０７は、メディアアイテム又はソースメディアアイテム（図示していない）「Ｈｏｌｌａｂａｃｋ  Ｇｉｒｌ」に関連付けられたメタデータ３００から導出される。
【００７６】
図３ｃに示すように、メタデータプロセッサ３０２は、メディアアイテム又はソースメディアアイテム（図示していない）に関連付けられたメタデータ３００、３０１、並びに部分メディアアイテム（図示していない）に関連付けられたメタデータサブセット３０４、３０６、３０７、３０８、３０５、３０９、３１０の各々のタイプ及び構成を調べ且つ判定する。次いで、メタデータプロセッサは、メタデータサブセット３０４、３０６、３０７、３０８、３０５、３０９、３１０の一部又は全てを新規に作成された複合メディアアイテム（図示していない）に関連付けられる新しいメタデータ３０３に変換する。一実施形態では、新しいメタデータ３０３は、メタデータプロセッサ３０２がメタデータサブセットを連結又は組み合わせることによって形成される。別の実施形態では、新しいメタデータ３０３は、メタデータサブセット３０４、３０６、３０７、３０８、３０５、３０９、３１０の一部又は全てを保持するか、又は全く保持することがないアプリケーション特有の論理及び／又はルールを介してメタデータプロセッサ３０２によって形成される。例えば、図３ｃでは、新しいメタデータ３０３は、新しいメタデータ３０３に関連付けられる複合メディアアイテムのタイトルに関連するデータ（この事例では「Ｈｏｌｌａｂａｃｋ  Ｉｎｃ」）を含む。この実施例に関して、メタデータプロセッサ３０２は、一方のメタデータサブセット３０４からのタイトルから「Ｈｏｌｌａｂａｃｋ」を抽出し、メタデータサブセット３０５からのタイトルから「Ｉｎｃ」を抽出して、新しいメタデータ３０３内に新しいタイトル「Ｈｏｌｌａｂａｃｋ  Ｉｎｃ」を形成している。
【００７７】
複合メディアを作成するための様々な異なる方法が企図される。図８ａは、複合メディアアイテムに関連付けられた新しいメタデータを作成する例示的な実施形態を示している。図８ａは、部分メディアアイテム８０５、８０６、部分メディアアイテム８０５、８０６に関連付けられたメタデータサブセット８０１〜８０４、メタデータプロセッサ８０７、及びポインタ８１０、８１１を含む新しいメタデータ８０９を示している。ポインタ８１０、８１１は、各々部分メディアアイテム８０５、８０６にそれぞれ関連付けられる。例えば、ポインタ８１０は、メディアアイテム８０５に関連付けられ、従って、メディアアイテム８０５を指すことができ、ポインタ８１１は、部分メディアアイテム８０６に関連付けられ、従って、部分メディアアイテム８０６を指すことができる。一般的に用語「ポインタ」は、いかなる形態でアクセスされるかに関わらず、広域ネットワーク又はその一部分、イントラネット、分散ストレージ環境上でメディアアイテム又はその一部分を見つけることができる場所を指し示す又は識別するあらゆる形態の場所識別子を意味する。一実施形態では、複合メディアアイテム（図示していない）は、部分メディアアイテム８０５、８０６から作成することができ、新しいメタデータ８０９は、この新しい複合メディアアイテムに関連付けられる。図８ａにおいて、論理及び／又はルールのセットを通じて、メタデータプロセッサ８０７は、メタデータサブセット８０１〜８０４を解釈し、次いで、これらを処理して新しいメタデータ８０９を作成する。図８ａに示すように、新しいメタデータ８０９は、部分メディアアイテム８０５、８０６に関連付けられたポインタ８１０、８１１を含む。ポインタ８１０、８１１を用いて、メディア再生デバイス又はアプリケーションが様々な方式で部分メディアアイテム８０５、８０６を取得又はアクセスすることができる。例えば、部分メディアアイテムは、サーバ、インターネット、又は遠隔の場所からストリーミングすることができ、ローカルメモリからダウンロード及び／又は取得することができる。従って、新しいメタデータ８０９内に含まれるポインタを介して、部分メディアアイテムは取得又はアクセスされる。従って、ポインタを同時に又は連続して取得又はアクセスされるときには、複合メディアファイルがアクセス又は再生されることになる。例えば、ポインタ８１０、８１１が、メディアをストリーミングすることができる広域ネットワーク上の場所を指す場合には、新規に作成された複合メディアアイテムは、必要に応じて部分メディアアイテム８０５、８０６をストリーミングすることによって体験される。
【００７８】
図８ｂは、複合メディアアイテムに関連付けられる新しいメタデータを作成する別の例示的な実施形態を示している。図８ｂは、部分メディアアイテム８０５、８０６、部分メディアアイテム８０５、８０６に関連付けられたメタデータサブセット８０１〜８０４、メタデータプロセッサ８０７、新規に作成された複合メディアアイテム８０８、及び新しい複合メディアアイテム８０８に関連付けられた新しいメタデータ８０９を示している。図８で分かるように、論理及び／又はルールのセットを通じて、メタデータプロセッサ８０７は、メタデータサブセット８０１〜８０４を解釈し、次いで、これらを処理して新しいメタデータ８０９を作成し、更に部分メディアアイテム８０５、８０６を解釈し、次いで、これらを処理して新しい複合メディアアイテム８０８を作成する。図８ａとは異なり、新しいメタデータ８０９は、複合メディアアイテム８０８を作成する部分メディアアイテムへのポインタを含まない。その代わりに図８ｂでは、複合メディアアイテム８０８は、メタデータプロセッサ８０７が、上記に説明したものと同じ又は同様の方式で所定のルール又は論理に従って、メタデータサブセット８０１〜８０４を処理することによって作成されるようにする。次いで、メタデータプロセッサ８０７は、別の処理又はプログラムにアクセスし、又は該処理又はプログラムを引き起こし、部分メディアアイテム８０５、８０６にアクセスし、次いで、これらの部分メディアアイテム８０５、８０６を上記ルール又は論理に従って、処理して新しい複合メディアアイテム８０８を形成し、この複合メディアアイテム８０８は、体験可能なメディアのアイテムに関して現在公知である又は公知になるあらゆる方式で体験、格納、又は共有することができる。
【００７９】
一実施形態では、メタデータサブセットのあらゆる数又は組み合わせを新しいメタデータに付加又は関連付けることができる。一実施形態では、メタデータサブセット３０４、３０６、３０７、３０８、３０５、３０９、３１０の一部又は全ては、新規に作成された複合メディアアイテムに関連付けられた新しいメタデータ３０３に付加又は関連付けられる（３１１、３１２、３１３、３１４）。例えば、図３ａでは、メタデータサブセット３０７、３０８、３０９、３１０の一部は、新しいメタデータ３０３を構成するだけでなく、新しいメタデータに付加又は関連付けられる３０７’、３０８’、３０５’、３０９’、３１０’。図３ｂにおける別の実施例では、メタデータサブセット３０７、３０９だけが新しいメタデータ３０３に付加又は関連付けられている３０７’、３０９’。一実施形態では、メタデータサブセットの一部は、新しいメタデータ３０３に付加又は添付されない場合があるが、それでも尚、新しいメタデータ３０３に組み込むことができる。例えば。図３ａでは、メタデータサブセット３０４、３０６、３０５は、新しいメタデータ３０３に添付されていないが、このことは、メタデータサブセット３０４、３０６、３０５が新しいメタデータ３０３を部分的に形成することができないことを意味するわけではない。
【００８０】
別の実施形態では、図３ｃに示すように、メタデータサブセット３００、３０１のいずれも新規に作成された複合メディアアイテム（図示していない）に関連付けられた新しいメタデータ３０３に付加又は関連付けられていない。
【００８１】
一実施形態では、新しいメタデータに付加又は関連付けられるメタデータは、複合メディアアイテムを形成するのに用いられる部分メディアアイテムによって決まる。例えば図３ｂを参照すると、メタデータサブセット３０７、３０８に関連付けられた部分メディアアイテムだけが組み合わせられて複合メディアアイテムを形成する場合には、複合メディアアイテムに関連付けられた新しいメタデータ３０３は、メタデータサブセット３０７、３０８から構成される。更にメタデータサブセット３０７、３０８は、新しいメタデータ３０３に付加又は関連付けられる３０７’、３０８’。従って、この例示的な実施形態では、収集された構成要素の発生源、ライセンス要件、ビジネス条件、及びソースメディアアイテムに関する全ての情報を含む新しいメタデータが作成されている。新規の複合メディアアイテムについての全ての関係情報のこのカプセル化により、商取引システムは、こうした作品の商用移転を確実に行うために必要な情報を取得及び利用することが可能になる。例えば、一実施形態では、複合メディアにおけるマーケットプレイスは、サーチ及び発見能力を提供することができ、エンドユーザがアーティスト又はジャンル等の情報タグのいずれかによってサーチ可能になる。サーチ及び発見ソフトウェアは、エンドユーザによって用いられるサーチ用語に関係する部分メディアを含む複合作品を見つけることになる。別の実施形態では、エンドユーザは、Ｇｏｒｉｌｌａｚと入力し、このアーティストによる作品だけではなく、１つの構成要素がＧｏｒｉｌｌａｚによるバックトラックである複合メディアアイテムを見つけることができる。ユーザがこのサンプルトラックを購入すると決定した場合、複合メディアアイテムのメタデータ内の価格及びライセンス情報を利用してトランザクションを行い、例えばクレジットカードトランザクションで必要とされる価格をユーザに通知することができる。ネットワーク商取引を実施する上で公知であるか又は公知になる様々な支払方式を用いることができ、本明細書の教示を利用して特定の支払方式を柔軟に適用することができる。例えば、アイテムに対しての金額が徴収されると、マーケットプレイス商取引システムは、販売された複合アイテムに対するそれぞれの条件を調べて、例えば、複合メディアアイテムに含まれるコンテンツについてそれぞれ０．５０ドル及び０．８０ドルを支払うべき２人の権利保有者が存在していることを検出することができる。この金額は、同様に複合メディアアイテムのメタデータ内で見つかった権利保有者についての識別情報を用いて各権利保有者に分配することができる。図に示すように、特に説明されるツールを使用してエンドユーザによって無数の複合メディアアイテムを構成することができ、更に、全ての可能な組み合わせ、及びこうした作品から発生する条件を記述した複合メタデータを容易性と確実性を幾らか伴って想定又は列挙することを誰も行うことができないことが認識される場合、複合メタデータの恩恵なしには、こうした商取引を容易に又は確実に行うことはできず、場合によっては全く不可能であろう。
【００８２】
一実施形態では、メタデータサブセット及び／又は部分メディアアイテムを組み合わせるのに用いられる論理及び／又はルールは、条件付き論理演算子に基づくことができる。例えば、「ａｎｄ」、「ｏｒ」、「ｘｏｒ」、及び「ｎｏｔ」等のブール演算子、並びに「ｉｆ  ｔｈｅｎ」及び「ｉｆ  ｔｈｅｎ  ｅｌｓｅ」命令文等の条件付き論理を利用して、メタデータサブセット及び／又は部分メディアアイテムを組み合わせるか否か、又はどのように組み合わせるかを決定することができる。図３ａで分かるように、新しいメタデータ３０３は、論理及び／又はルールを用いることによって形成することができる。一実施形態では、論理及び／又はルールを用いて、メタデータサブセットに関連付けられたビジネスルール、ライセンスルール及び条件、並びに商取引条件のセットが組み合わせられる。また、メタデータを作成して利用する当業者には公知の他の方法も企図される。従って、メタデータプロセッサは、複合メディアアイテムに関連付けられたライセンス方式、権利、及び／又はビジネス条件、並びに商取引条件等の商取引実現情報を決定するように適切にプログラム又は設計することができる。更に、メタデータプロセッサを通じて、メタデータサブセットは、メタデータサブセットから導出される権利を含む、特定の商取引実現情報に基づいて組み合わせることができる。更なる実施形態では、複合メディアアイテムに関連付けられ論理的に組み合わせられたメタデータは、複合メディアアイテムに付加又は関連付けられ、複合メディアアイテムに関連付けられた商取引実現情報が容易に認識され使用可能になるようにする。
【００８３】
図４は、メタデータサブセットの商取引実現情報を組み合わせることができるか否かを判断するのに用いられる例示的な論理又はルールのセット４０７、４０８を図示している。例えば、一実施形態では、商取引実現情報は権利セットを含むことができる。図４で分かるように、部分メディアアイテムに関連付けられた論理及び／又はルールの各セット４０７に対して、第２の部分メディアアイテム又は実際に後で追加されるあらゆる部分メディアアイテムについての論理及び／又はルールの利用可能なセット４０８が存在する。図４で分かるように、アイコンのセット４００は、部分メディアアイテムに関連付けられたメタデータサブセットから導出された権利セットを表している。一実施形態では、これらの権利は、関連付けられた属性４０９、部分メディアアイテムが非商用と指定されているか否か４１０、部分メディアアイテムがいかなる派生著作物をも阻止するように指定されているか否か４１２、部分メディアアイテムが継承４１２として指定されているか否か４１２、部分メディアアイテムが商用専用として指定されているか否か４１３、及び部分メディアアイテムの複製単価４１４を含むことができる。従って、メディアアイテムを構築するユーザは、ドラッグアンドドロップ方式のユーザインターフェース（例えば図１）を通じてこうしたアイコンを組み込み、ユーザ選択の商取引特性を有する新しいメディアアイテムを作成することができる。メタデータプロセッサは、メタデータ内に記載され、又はあるタイプのメタデータを規定するルールに従うように適切にプログラム又は設計される。
【００８４】
１つの実施例では、商取引実現情報は、部分メディアアイテムを商用専用ベース４１３で含めることができ、新しい複合メディアアイテムの複製が販売されたときに０．４０ドルの最低手数料４１４を権利保有者に支払う必要があることを提示することができる。従って、第３の部分メディアアイテムが含められ、この構成要素の使用が非商用４０２の配信に制限されている場合には、権利、ルール、又は条件が競合する理由により、第３の部分メディアアイテムを用いた複合メディアアイテムが実現可能ではない。
【００８５】
別の実施例では、メタデータサブセットが、部分メディアアイテムを取得した条件と正確に同じ条件でのみその部分アイテムを伝送する必要がある継承権４１３のような、特定の商取引実現情報を必要とする場合には、同じ継承指定４０４を有するメタデータサブセットを備えた部分メディアアイテムのみを組み合わせることができる。
【００８６】
更に別の実施例では、部分メディアアイテムのライセンスが非商用４０２指定を定めるが、属性４０１は派生著作物内に包含されており、別の部分メディアアイテムのライセンスが、例示的に０．４０ドルの最低条件４１４で商用専用４０５の包含を指定する場合には、これらの複合メディアアイテムは、権利が競合するのでやはり実現可能ではない。
【００８７】
別の実施形態では、商取引実現情報は、メディアアイテムのサンプルを取得し用いるためのライセンスを含むことができる。更に、論理及び／又はルールは、これらのライセンス条件を実施することができる。例えば、ライセンスにより、ユーザ又はシステムが、広告以外のあらゆる目的でメディアアイテムのサンプルを取得し使用可能にすることができる。別の実施形態では、ライセンスは、適正な属性を含めない限り、サンプルを含む複合メディアアイテムの複製及び配信を禁止することができる。別の実施形態では、ライセンスは、非商用の複製及び複合メディアアイテム内でのサンプルの使用を許可することができる。
【００８８】
一実施形態では、部分メディアアイテムの権利が競合状態にある場合には、メタデータプロセッサ、又はメタデータプロセッサを組み込むツール、或いはメタデータプロセッサと他のソフトウェア、ハードウェア、又は信号は、部分メディアアイテムがフィルタ処理され、或いは部分的複合メディアアイテムに組み合わされるか又は含められるのを阻止するようにする。一実施形態では、権利は、指定が一致しない場合、指定が具体的に他を排除する場合、又は関連する権利を論理的に組み合わせることができない場合に競合状態になる可能性がある。例えば、部分メディアアイテムが非商用４１０と指定された場合には、他の部分メディアアイテムのメタデータサブセットも同様に非商用４０２指定を有する必要がある。別の実施例では、部分メディアアイテムが商用専用４１３と指定された場合には、他の部分メディアアイテムは、少なくとも非商用４１０と指定してはならない。一実施形態では、非商用４１０指定が無いことは、権利保有者が、自らの著作物の商用又は非商用の使用を認可することを意味する。従って、部分メディアアイテムが商用専用４１３と指定された場合には、あらゆる他の部分メディアアイテムは、少なくとも非商用４１３と指定してはならない。更なる実施形態では、商用専用指定４１３が用いられると、メディアアイテムの任意の複製単価４１４が従うことができるが、他の部分メディアアイテムに対してはこうした複製単価４０６要件がなくてもよい。その代わりに、必要とされるのは非商用４１０指定が無いことで十分である。
【００８９】
幾つかの実施形態では、権利は、いかなる他の部分メディアアイテムに対しても要件を課さないことがある。例えば、部分メディアアイテムは、属性４０９を要求することができるが、組み合わせにおける全ての他の部分メディアアイテムは、属性４０１を持つ必要がない。従って、一実施形態では、属性自体は、メタデータプロセッサが新しい複合メディアアイテム内に直接この属性を埋め込むことで保証することができるので、属性は簡略化され、確実に利用可能となる。
【００９０】
他の実施形態では、権利は、部分メディアアイテムがあらゆる他の部分メディアアイテムと組み合わせられるのを完全に阻止することができる。例えば、部分メディアアイテムが派生著作物禁止４１１指定を含む場合には、複合メディアアイテムは可能ではない。
【００９１】
別の実施形態では、競合する部分メディアアイテムがフィルタ処理され、複合メディアアイテムとみなされるか又は複合メディアアイテムとして使用することができるようになるが、ユーザは、競合する部分メディアアイテムによってこの複合メディアアイテムをファイナライズ及び／又は保存することができない。別の実施形態では、ツールは、該ツールのどのようなフィルタリング部分も存在せずに機能するように設定することができるが、存在する場合はどの配信モデルを用いて部分メディアアイテムに総合的に関連付けられた権利と一致させることができるかをユーザに通知することになる。
【００９２】
更なる実施形態では、メタデータプロセッサ又はツールは、意味論的一致を達成する構造体及びプラットフォームとは関係なく、異なるコミュニティによって用いられる広範なネットワーク及びデバイスにわたって異なるメディアアイテムフォーマット、メタデータ言語、及びマルチメディアリソース間でメタデータ言語を解釈／翻訳するための権利インタープリタ又はトランスレータを含むことができる。異なるタイプのメタデータが発生し、標準規格が策定されると、メタデータプロセッサによって或いは補助プロセッサ又は構成要素によって実行されるメタデータトランスレータ／インタープリタ機能は、これらの様々なタイプのメタデータ言語を解釈／翻訳することができる点に留意することが重要である。例えば、図５では、権利インタープリタ又はトランスレータ５１５が適用され、本質的に異なるメディアアイテム及び部分メディア５０５、５１０のメタデータに関連付けられたメタデータコンテンツ並びに関連権利及びルールを解釈／翻訳して同じメタデータ言語５２０にし、メタデータを容易に組み合わせることができるようにする。従って、一実施形態では、権利インタープリタ／トランスレータ５１５は、意味的整合性の最低限の曖昧性又は損失しか伴わずに、自動又は部分的自動方式で、ある動作領域又は商取引システム５０５、５１０の用語から別の動作領域又は商取引システム５２０の用語へのメタデータの変換を可能にすることができる。
【００９３】
一実施形態では、複合メディアアイテムが、メタデータプロセッサ又は同様の要素によって実現可能であると判断され、ユーザ又はシステムによって完了したとみなされると、複合メディアアイテムは保存され、この複合メディアアイテムに関連付けられ新規に生成されたメタデータに関連付けられ又は付加される。例えば、メタデータは、デジタルメディアファイル自体のフィールド内に、又は上記に説明したデータコンテナにされて、或いはデータ構造をカプセル化されて、又はメタデータに対して用いられる手法に応じた他のいずれかの形態で埋め込むことができる。次いで、最終複合メディアアイテムが第三者に利用可能にされ、更に別のメディアアイテムに組み込まれるときには、権利、ライセンス、商取引、及びビジネスルール要件等の商取引実現情報が利用可能となる。
【００９４】
一実施形態では、複合メディアアイテムの支払いの送金及び交換を可能にするための商取引システムが開示される。例えば、新規に作成された複合メディアアイテムの移転を行う商取引システムは、どの複合メディアアイテムが商用であり、支払いを必要とするかを判断することができる。この商取引システムは、各複写の販売に必要となる支払い額を決定することができ、他のメタデータを調べることによって、権利保有者が誰であるかを特定することができる。権利保有者メタデータは、資金の発行、又は資金が権利保有者による回収に応じることを通知できるほど十分な情報を含むことができる。一実施形態では、商取引エンジンは、複合メディアアイテムを構成する部分メディアアイテムのセットの各々についての支払い要件を判断し、各々についての支払いを処理することができる。更なる実施形態では、複合メディアアイテムの価格設定の妥当性も確認することができる。一実施形態では、複合メディアアイテムの価格は、部分メディアアイテムについて集合的に支払われるべき個々の分割支払いの合計以上になる必要がある。
【００９５】
一実施形態では、ツールは、関連付けられたメタデータセットを有する複合メディアアイテムを作成するためのユーザインターフェース（例えば図１及び２）を含む。一実施形態では、ツールは、ユーザが、メディアアイテム、メディアアイテムに関連付けられたメタデータ、部分メディアアイテム、及び部分メディアアイテムに関連付けられたメタデータサブセットを識別可能にする。一実施形態では、ユーザインターフェースは、ユーザが、メディアアイテムの集合全体を通してブラウズ及び／又はサーチできるようにする。更なる実施形態では、ユーザインターフェースは、ユーザが、部分メディアアイテムの集合全体を通してブラウズ及び／又はサーチできるようにする。一実施形態では、ユーザインターフェースは、ユーザが、メディアアイテムに関連付けられたメタデータの集合全体を通してブラウズ及び／又はサーチできるようにする。別の実施形態では、ユーザインターフェースは、ユーザが、部分メディアアイテムに関連付けられたメタデータサブセットの集合全体を通してブラウズ及び／又はサーチできるようにする。
【００９６】
別の実施形態では、ユーザは、入力基準によってメディアアイテム及び部分メディアアイテムをサーチすることができる。入力基準により、ユーザは、限定ではないが、アルバム、アーティスト、ジャンル、タイプ又はカテゴリ、価格、権利保有者の識別情報を含む、メディアアイテムに関連付けられた属性関係により、或いは特定のライセンス、商取引、又はビジネスルールもしくは条件によりサーチできるようになる。別の実施形態では、入力基準により、ユーザは、メタデータサブセットに関連付けられた所定の情報によりサーチできるようになる。別の実施形態では、入力基準により、ユーザが、部分メディアアイテムに関連付けられた属性によりサーチできるようになる。一実施形態では、ユーザインターフェースは、ユーザがドロップダウンメニューからサーチ基準を選択してテキストフィールドボックスに入力できるようにするドロップダウンメニュー及びテキストフィールドボックスを通じてサーチ可能にする。
【００９７】
更なる実施形態では、ユーザ又はシステムがメディアアイテムを識別すると、ユーザインターフェースは、このメディアアイテム及び組み合わせに利用可能なこのメディアアイテムの部分メディアアイテムを表示する。例えば、メディアアイテム及びその部分メディアアイテムは、階層式、ドロップダウンメニューで、右クリックメニューで、ユーザインターフェースの単一区域又は複数区域で表示することができる。別の実施形態では、ユーザがメディアアイテムを識別すると、ユーザインターフェースは、メディアアイテム、その部分メディアアイテム、及びこれらの部分メディアアイテムに関連付けられたメタデータサブセットを表示する。
【００９８】
ユーザインターフェースの１つの例示的な実施形態を図１に示す。図１で分かるように、グラフィカルユーザインターフェースウィンドウ１００は、メディアアイテム１０２の部分メディアアイテム１１２及び１１３のグラフィック表現を表示する区域１０４と、部分メディアアイテムに関連付けられた階層メニューを表示する区域１０３と、ユーザがメディアアイテム１０２又は部分メディアアイテム１１２及び１１３をプレイできるようにする区域１０９と、特定の部分メディアアイテム１１２及び１１３の構造を表示及び／又はプレビューする区域１０５と、特定の部分メディアアイテムに関連付けられたメタデータサブセット１０６、１０７、１０８を表示する区域１１５と、メディアアイテム及び／又は部分メディアアイテムをサーチ及び／又はブラウズする区域１１４とを含む。
【００９９】
図１に示すように、ユーザは、組み合わせて複合メディアアイテムを作成するための部分メディアアイテムをブラウズ、サーチ、或いは識別することができる。更にユーザは、各部分メディアアイテムに関連付けられたメタデータサブセットを観ることができる。例えば、図１では、ユーザは、「Ｈｏｌｌａｂａｃｋ  Ｇｉｒｌ」という名称のメディアアイテム１０２を識別している。図示のように、ユーザインターフェースは、部分メディアアイテム１１２、１１３に関連付けられたカテゴリで配列された階層メニュー１０３内にメディアアイテム１０２を表示する。詳細には、「Ｈｏｌｌａｂａｃｋ  Ｇｉｒｌ」メディアアイテムの部分メディアアイテムに関連付けられたカテゴリは、オーディオ１１０及び写真１１１を含む。更に、ユーザインターフェースは、隣接区域１０４において、強調表示及び／又は選択されたメディアアイテム１０２の特定の部分メディアアイテム１１２３、１１３を表すグラフィック画像を表示する。他の実施形態では、グラフィック表現の代わりに、部分メディアアイテムの更なる情報を表示することができる。このように一実施形態では、部分メディアアイテム１１２、１１３に関連付けられた階層メニューを表示する区域１０４は、部分メディアアイテム１１２、１１３のグラフィック表現を表示するための区域１０４内に表示された同じ部分メディアアイテムに対応する。
【０１００】
図１では、部分メディアアイテムは、アカペラトラック１１２、及びメディアアイテムのアーティスト１１３のｊｐｅｇ画像である。一実施形態では、図１に示すように、部分メディアアイテム１１２が強調表示又は選択されると、区域１０５にプレビューされる。一実施形態では、選択された部分メディアアイテムの構造がこの区域１０５でユーザに表示される。例えば、ユーザは、オーディオの波形、長さ、及びメディアアイテムのあらゆる他の関連構成要素のグラフィック表現を観ることができる。更なる実施形態では、部分メディアアイテムを選択すると、この部分メディアアイテムはまた、ある区域内でユーザに対してプレイされる。同様に図１で分かるように、ユーザインターフェースは、部分メディアアイテムに関連付けられたメタデータサブセットの一部を表示する。具体的には、図１では、アカペラトラック１１２に関連付けられたメタデータサブセットの一部が区域１１５に表示されている。具体的には、アカペラトラック１１２に関連付けられたメタデータサブセットの一部は、部分メディアアイテムの権利保有者１０６の識別情報、部分メディアの使用を規定するライセンス情報１０７、及び部分メディアの商用使用に適用可能なビジネスルール又は条件１０８を含む。このように、一実施形態では、ユーザは、メディアアイテムを識別することができ、ツールのユーザインターフェースを通じて、メディアアイテムに関連付けられた部分メディアアイテムの階層メニューを観て、メディアアイテムに関連付けられた部分メディアアイテムのグラフィック表現を観ることができる。更に、ユーザが、部分メディアアイテムを強調表示又は選択すると、部分メディアアイテムの構造及びこの部分メディアアイテムに関連付けられたメタデータサブセットがユーザインターフェース上に表示される。更に、ユーザインターフェースは、ユーザに対して部分メディアアイテムをプレイすることができる。当然ながら、企図されるツールユーザインターフェースの区域及び特徴部の多くの企図される組み合わせ及び配置が存在する。
【０１０１】
更なる実施形態では、ツールのユーザインターフェースにより、ユーザが、少なくとも２つの部分メディアアイテムに基づいて複合メディアアイテムを作成、表示、及び／又はプレイすることが可能になる。更に、ユーザインターフェースは、複合メディアアイテムの部分メディアアイテムのメタデータサブセットの論理組み合わせに基づいて、複合メディアアイテムに関連付けられたメタデータを表示する。図２は、複合メディアアイテムを作成するためのユーザインターフェースの例示的な実施形態を示している。図２で分かるように、複合メディアアイテム２００は、２つの部分メディアアイテム２０４、２０５から作成されており、ユーザインターフェース上に表示されている。具体的には、図２は、特定のメディアアイテム２１０の部分メディアアイテム２０２及び２１２を表すグラフィック画像を表示する区域１０４を備えた、グラフィカルユーザインターフェースウィンドウ１００を示している。図２はまた、メディアアイテム２１０、２１１の部分メディアアイテムの階層メニューを表示する区域１０３を含む。図２で分かるように、階層メニュー内で選択され又は強調表示されているメディアアイテム２１０は、「Ｇｏｒｉｌｌａｚ」というアーティスト名で記載されているメディアアイテムである。一実施形態では、メニュー区域１０３内でメディアアイテムを強調表示又は選択すると、メニューに隣接する区域１０４は、選択されたメディアアイテム２１０に関連付けられた部分メディアアイテム２１２、２０２を表すグラフィック画像を表示する。区域１０４で分かるように、「Ｇｏｒｉｌｌａｚ」に関連付けられた部分メディアアイテムは、ｊｐｅｇフォーマットの顔写真２１２とバックトラック２０２である。従って、階層メニュー区域１０３及び隣接区域１０４を通じて、ユーザは、メディアアイテムの部分メディアアイテムを観ることができる。
【０１０２】
更に、図２で分かるように、複合メディアアイテム２００は、２つの部分メディアアイテム、すなわちＧｗｅｎ  Ｓｔｅｆａｎｉからのアカペラトラック２０４及びＧｏｒｉｌｌａｚからのバックトラック２０５に基づいている。従って、ユーザインターフェースは、複合メディアアイテム２００を作成するのに用いられた部分メディアアイテム２０４、２０５の構造を表示及び／又はプレビューするための区域１０５を含む。図２では、Ｇｗｅｎ  Ｓｔｅｆａｎｉ２０４からのアカペラトラックの構造及びＧｏｒｉｌｌａｚのバックトラックの構造が区域１０５に表示されている。従って、ユーザは、複合メディアアイテムに向けに選択された部分メディアアイテムを観ることができる。更にユーザインターフェースは、ユーザが複合メディアアイテム２００又は部分メディアアイテムの各々をプレイできるようにする区域１０９を含む。加えて、ユーザインターフェースは、複合メディアアイテムに関連付けられたメタデータサブセット２０７、２０８、２０９を表示する区域１１５を含む。一実施形態では、複合メディアアイテムに関連付けられたメタデータは、複合メディアアイテムを作成するのに用いられた部分メディアアイテムに関連付けられるメタデータサブセットに基づいている。図２では、表示されたメタデータサブセットは、複合メディアアイテムに関連付けられた権利保有者の識別情報を表示する区域２０７と、複合メディアアイテムの使用を規定するライセンス情報を表示する区域２０８と、複合メディアアイテムの商用使用に適用可能なビジネスルール又は条件の一部を表示する区域２０９とを含む。上記で説明したように、一実施形態では、メタデータサブセットは、互いに論理的に組み合わせられ、複合メディアアイテムに関連付けられたメタデータセットを形成する。別の実施形態では、メディアアイテムに関連付けられたメタデータセットは、メタデータサブセットから導出された所定の情報に基づいている。
【０１０３】
すなわち、データコンテナ、商取引実現メタデータ、メディアアイテムに関連付けられたメタデータ、及びそのツールは各々、複合メディアアイテムにおける商用マーケットプレイスを運用するのに必要な権利、属性、及びビジネス条件の複合体を管理するのを可能にする。例えば、本開示により、ユーザが、複合メディアアイテムをサーチして場所を特定し、構成要素（ＤＮＡ）全体を通してブラウズし、ソースマテリアルを発見、取得、及び使用することが可能になり、各部分構成要素の発生源、商取引実現情報、関連する権利、ビジネスルール、及び一般メタデータについての情報を含む新しい著作物の作成を可能にする複合物作成インターフェースを提供する。また、これらの開示は、メディアディレクトリ又はカタログに新しい著作物を「公開」し、サーチを通じて現在検出可能な多数の適切なメディア要素をライブラリ又はリミックス可能メディアに取り込む手法を提示し、作者の著作物に対して報酬を支払うことができる商業実体との作者の関連付けを含む、新しい制作物についての著作者情報の包含を可能にし、単一のリミックス著作物に組み込まれる様々な部分メディアアイテム要素に対する権利保有者間の分配支払いの会計処理を可能にし、所与のエンドユーザに関連付けられた親和性の範囲を拡張してエンドユーザのコレクション中に部分メディアアイテムを含め、ユーザ間における新規に作成されるリミックスメディアの容易な転送をサポートするメディア集合の作成を可能にし、このため、こうしたリミックスメディアはカプセル化されて容易に転送されるデジタルオブジェクトで表されるようになる。
【０１０４】
当業者であれば、アプリケーション内の本開示の方法及びシステムが、多くの様式で実施することができ、従って、前述の例示的な実施形態及び実施例によって限定されるべきではない点を認識するであろう。言い換えれば、ハードウェア及びソフトウェアの様々な組み合わせにおいて単一又は複数の構成要素で実行される機能要素、及び個々の機能は、クライアントレベル又はサーバレベルのいずれかでのソフトウェアアプリケーション間に分散させることができる。この点に関して、本明細書で説明する異なる実施形態のあらゆる数の特徴は、単一の実施形態に組み合わせることができ、本明細書で説明する特徴の全てよりも少ない又は多い特徴部を有する別の実施形態が実施可能である。同様に機能についても、現在公知の又は今後公知になる方式において複数の構成要素間で全体的に又は部分的に分散させることができる。従って、本明細書で説明する機能、特徴、インターフェース、及び選択を達成する上で無数のソフトウェア／ハードウェア／ファームウェアの組み合わせが可能である。更に、当業者には図に示すように、本開示の範囲は、従来公知であるもの及び本明細書で説明するシステム構成要素全体にわたって変更及び修正の特徴を対象とする。
【図面の簡単な説明】
【０１０５】
【図１】本開示の実施形態による例示的ユーザインターフェースである。
【図２】本開示の実施形態による例示的ユーザインターフェースである。
【図３ａ】本開示の実施形態に従って、メタデータサブセット組み合わせる例示的な図である。
【図３ｂ】本開示の実施形態に従って、メタデータサブセット組み合わせる例示的な図である。
【図３ｃ】本開示の実施形態に従って、メタデータサブセット組み合わせる例示的な図である。
【図４】本開示の実施形態による、部分メディアアイテムに関連付けられた論理又はルールの例示的な図である。
【図５】本開示の実施形態による例示的フローチャートである。
【図６】本開示の実施形態に従って、部分メディアアイテムを組み合わせる例示的な図である。
【図７】本開示の実施形態によるデータコンテナの例示的な図である。
【図８ａ】新しい複合メディアアイテム及びそれに関連付けられたメタデータを作成する例示的な図である。
【図８ｂ】新しい複合メディアアイテム及びそれに関連付けられたメタデータを作成する例示的な図である。
【符号の説明】
【０１０６】
８０５、８０６  部分メディアアイテム
８０１、８０２、８０３、８０４  メタデータサブセット
８０７  ＭＲＣメタデータプロセッサ
８０９  新しいメタデータ
８１０、８１１  ポインタ
【図１】
2009512064.tif 000003
【図２】
2009512064.tif 000004
【図３ａ】
2009512064.tif 000005
【図３ｂ】
2009512064.tif 000006
【図３ｃ】
2009512064.tif 000007
【図４】
2009512064.tif 000008
【図５】
2009512064.tif 000009
【図６】
2009512064.tif 000010
【図７】
2009512064.tif 000011
【図８ａ】
2009512064.tif 000012
【図８ｂ】
2009512064.tif 000013
【手続補正書】
【提出日】平成20年12月3日(2008.12.3)
【手続補正１】
【補正対象書類名】特許請求の範囲
【補正対象項目名】全文
【補正方法】変更
【補正の内容】
【特許請求の範囲】
【請求項１】
メディアアイテムとの関連付けのためのデータコンテナであって、
ソースメディアアイテムから導出されたメディアアイテムの一部分に関連付けられ、前記ソースメディアアイテムに関連付けられたソースメタデータから導出される少なくとも１つのメタデータサブセットと、
コンテナ関係メタデータと、
前記ソースメディアアイテムである場合とそうでない場合があるメディアアイテムに関連付けられた少なくとも１つのメディアアイテム識別子と、
を備えたデータコンテナ。
【請求項２】
メディアアイテムの一部分に関連付けられた前記メタデータサブセットが商取引実現情報セットを含む、
ことを特徴とする請求項１に記載のデータコンテナ。
【請求項３】
前記商取引実現情報セットが使用権を含む、
ことを特徴とする請求項２に記載のデータコンテナ。
【請求項４】
前記使用権が、派生著作物において前記部分メディアアイテムを使用する権利を含む、ことを特徴とする請求項３に記載のデータコンテナ。
【請求項５】
前記商取引実現情報セットが商用指定を含む、
ことを特徴とする請求項２に記載のデータコンテナ。
【請求項６】
前記商取引実現情報セットが非商用指定を含む、
ことを特徴とする請求項２に記載のデータコンテナ。
【請求項７】
前記商取引実現情報セットが発行者の属性を含む、
ことを特徴とする請求項２に記載のデータコンテナ。
【請求項８】
前記商取引実現情報セットが前記部分メディアアイテムの複製単価を含む、
ことを特徴とする請求項２に記載のデータコンテナ。
【請求項９】
前記商取引実現情報セットが権利保有者の識別情報を含む、
ことを特徴とする請求項２に記載のデータコンテナ。
【請求項１０】
前記商取引実現情報セットがライセンス条件セットを含む、
ことを特徴とする請求項２に記載のデータコンテナ。
【請求項１１】
前記商取引実現情報セットが著作権メッセージを含む、
ことを特徴とする請求項２に記載のデータコンテナ。
【請求項１２】
前記商取引実現情報セットがデジタル権利メッセージを含む、
ことを特徴とする請求項２に記載のデータコンテナ。
【請求項１３】
前記メディアアイテム識別子がポインタである、
ことを特徴とする請求項１に記載のデータコンテナ。
【請求項１４】
前記部分メディアアイテム及び前記メディアアイテムのうちの一方又は両方がサーバから取得される、
ことを特徴とする請求項１に記載のデータコンテナ。
【請求項１５】
前記部分メディアアイテム及び前記メディアアイテムのうちの一方又は両方が、ユーザのコンピューティングデバイスからアクセスされた前記ユーザのローカルメディアライブラリから取得される、
ことを特徴とする請求項１に記載のデータコンテナ。
【請求項１６】
前記部分メディアアイテム及び前記メディアアイテムのうちの一方又は両方がインターネットから取得される、
ことを特徴とする請求項１に記載のデータコンテナ。
【請求項１７】
前記コンテナ関係メタデータが、前記コンテナに関連付けられたコンテンツのタイプを含む、
ことを特徴とする請求項１に記載のデータコンテナ。
【請求項１８】
前記コンテナ関係メタデータが、前記コンテナに関連付けられたファイルタイプを含む、
ことを特徴とする請求項１に記載のデータコンテナ。
【請求項１９】
前記コンテナ関係メタデータが、前記コンテナに関連付けられた国際標準レコーディングコードを含む、
ことを特徴とする請求項１に記載のデータコンテナ。
【請求項２０】
前記メタデータサブセットが、前記部分メディアアイテムに関連付けられたアーティストのウェブページへのリンクを含む、
ことを特徴とする請求項１に記載のデータコンテナ。
【請求項２１】
前記メタデータサブセットが、オンデマンド音楽サービスのウェブページへのリンクを含む、
ことを特徴とする請求項１に記載のデータコンテナ。
【請求項２２】
部分メディアアイテムに関連付けられた商取引実現情報メタデータサブセットであって、
前記部分メディアアイテムに関連付けられたデジタル定義の商取引実現情報セットを備え、
前記部分メディアアイテムがソースメディアアイテムから導出され、前記メタデータサブセットが、前記ソースメディアアイテムに関連付けられた商取引実現情報関係メタデータから導出され、前記ソースメディアアイテムと前記部分メディアアイテムとが別個に存在するときには、前記メタデータサブセットが前記部分メディアアイテムに関連付けられて保持され、前記デジタル定義の商取引実現情報と前記部分メタデータとの間の関係を維持するようにする、
ことを特徴とする商取引実現情報メタデータサブセット。
【請求項２３】
複合メディアアイテムとの関連付けのためのメタデータセットであって、
第１のソースメディアアイテムから導出された第１の部分メディアアイテムに関連付けられたデータを表し、且つ前記第１のソースメディアアイテムに関連付けられた第１のメタデータから導出される第１のメタデータサブセットと、
第２のソースメディアアイテムから導出された第２の部分メディアアイテムに関連付けられたデータを表し、且つ前記第２のソースメディアアイテムに関連付けられた第２のメタデータから導出される第２のメタデータサブセットと、
を備え、
前記第１の部分と前記第２の部分とが組み合わせられて複合メディアアイテムを形成し、前記第１のサブセット及び前記第２のサブセットが、前記複合メディアアイテムとの関連付けのための新しいメタデータセットを形成し、前記新しいメタデータセットが、前記第１のメタデータサブセット及び前記第２のメタデータサブセットに基づいている、
ことを特徴とするメタデータセット。
【請求項２４】
前記第１のメタデータサブセット及び前記第２のメタデータサブセットに関連付けられた前記データが商取引実現情報を含む、
ことを特徴とする請求項２３に記載のメタデータ。
【請求項２５】
前記商取引実現情報が、前記第１のメタデータサブセットに関連付けられた第１の権利セットと、前記第２のメタデータサブセットに関連付けられた第２の権利セットとを含む、
ことを特徴とする請求項２４に記載のメタデータ。
【請求項２６】
前記第１の部分メディアアイテム及び前記第２の部分メディアアイテムは、前記第１の権利セットと前記第２の権利セットとが競合する場合には組み合わせられない、
ことを特徴とする請求項２５に記載のメタデータ。
【請求項２７】
前記第１の部分メディアアイテム及び前記第２の部分メディアアイテムは、前記第１の権利セットと前記第２の権利セットとが競合する場合にはファイナライズされない、
ことを特徴とする請求項２５に記載のメタデータ。
【請求項２８】
前記第１の部分メディアアイテム及び前記第２の部分メディアアイテムは、前記第１の権利セット及び前記第２の権利セットのうちの一方又は両方が望ましい権利セットと一致しない場合には組み合わせられない、
ことを特徴とする請求項２５に記載のメタデータ。
【請求項２９】
第１の部分メディアアイテム及び前記第２の部分メディアアイテムは、前記第１の権利セットと前記第２の権利セットとが類似している場合に組み合わせられる、
ことを特徴とする請求項２５に記載のメタデータ。
【請求項３０】
前記第１及び第２の権利セットのうちの一方又は両方が商用指定又は非商用指定に基づいている、
ことを特徴とする請求項２５に記載のメタデータ。
【請求項３１】
前記第１の権利セット及び前記第２の権利セットの両方が商用と指定される場合には、前記複合メディアアイテムに関連付けられた価格が算出される、
ことを特徴とする請求項３０に記載のメタデータ。
【請求項３２】
前記第１及び第２の権利セットのうちの一方又は両方が属性の識別情報に基づいている、
ことを特徴とする請求項２５に記載のメタデータ。
【請求項３３】
前記第１及び第２の権利セットのうちの一方又は両方が前記第１及び第２の部分メディアアイテムの各々の複製単価に基づいている、
ことを特徴とする請求項２５に記載のメタデータ。
【請求項３４】
前記第１及び第２の権利セットのうちの一方又は両方が権利保有者の識別情報に基づいている、
ことを特徴とする請求項２５に記載のメタデータ。
【請求項３５】
前記第１及び第２の権利セットのうちの一方又は両方がライセンス条件に基づいている、
ことを特徴とする請求項２６に記載のメタデータ。